(57)【要約】【課題】種々の表示仕様に柔軟に対応して所望のタッチ動作を実現することができるタッチ駆動装置、タッチ検出装置、及びタッチ検出機能付き表示装置を提供する。【解決手段】一方向に延在するように並設された複数の駆動電極（ＣＯＭＥ）と、前記駆動電極の延在方向と交差する方向に延在し、その交差部分に静電容量を形成するように配置された検知電極（ＤＥＴＥ）と、前記複数の駆動電極を少なくとも一つの駆動電極を含む複数の駆動電極部に区分し、前記複数の駆動電極部から選択された駆動対象電極部に対して外部近接物体を検知するためのパルス波形を有するタッチ駆動信号（ＴＳＶＣＯＭ）を印加することによりタッチ走査駆動を行うドライバ（ＤＤＩ）と、を備え、前記駆動電極部に含まれる前記駆動電極の本数、及び前記タッチ駆動信号（ＴＳＶＣＯＭ）が印加される前記駆動対象電極部は指定可能になされるタッチ駆動装置。【選択図】図６
2015201175.tif 000002
【特許請求の範囲】
【請求項１】
一方向に延在するように並設された複数の駆動電極と、
前記駆動電極の延在方向と交差する方向に延在し、その交差部分に静電容量を形成するように配置された検知電極と、
前記複数の駆動電極を少なくとも一つの駆動電極を含む複数の駆動電極部に区分し、前記複数の駆動電極部から選択された駆動対象電極部に対して外部近接物体を検知するためのパルス波形を有するタッチ駆動信号（ＴＳＶＣＯＭ）を印加することによりタッチ走査駆動を行うドライバ（ＤＤＩ）と、を備え、
前記駆動電極部に含まれる前記駆動電極の本数、及び前記タッチ駆動信号（ＴＳＶＣＯＭ）が印加される前記駆動対象電極部は指定可能になされるタッチ駆動装置。
【請求項２】
シフト駆動されて前記駆動電極部を順次選択可能とするシフトレジスタ回路を更に有し、
前記ドライバ（ＤＤＩ）は、
前記シフトレジスタ回路をシフト駆動するスタートパルス信号（ＳＤＳＴ）とクロック信号（ＳＤＣＫ）とを出力する、請求項１に記載のタッチ駆動装置。
【請求項３】
前記ドライバ（ＤＤＩ）は、
表示装置に表示信号を出力する表示動作と前記タッチ駆動信号（ＴＳＶＣＯＭ）を出力するタッチ駆動動作とを時分割的に交互に繰り返し、タッチ駆動動作中はタッチ駆動動作中であることを示す選択信号（ＶＣＯＭＳＥＬ）を出力する、請求項２に記載のタッチ駆動装置。
【請求項４】
前記ドライバ（ＤＤＩ）は、前記駆動対象電極部が選択可能とされた際、前記タッチ駆動信号（ＴＳＶＣＯＭ）を前記駆動対象電極部に出力し、
選択可能とされた前記駆動対象電極部は、前記選択信号（ＶＣＯＭＳＥＬ）が出力された際、前記タッチ駆動信号（ＴＳＶＣＯＭ）が印加されるようになされる、請求項３に記載のタッチ駆動装置。
【請求項５】
前記ドライバ（ＤＤＩ）は、前記タッチ駆動信号（ＴＳＶＣＯＭ）を出力する期間を指定する水平同期信号（ＴＳＨＤ）を生成し、
前記スタートパルス信号（ＳＤＳＴ）、クロック信号（ＳＤＣＫ）、水平同期信号（ＴＳＨＤ）、選択信号（ＶＣＯＭＳＥＬ）の立ち上げ及び立ち下げタイミングは指定可能になされる、請求項４に記載のタッチ駆動装置。
【請求項６】
前記ドライバ（ＤＤＩ）は、
前記スタートパルス信号（ＳＤＳＴ）、クロック信号（ＳＤＣＫ）、水平同期信号（ＴＳＨＤ）、選択信号（ＶＣＯＭＳＥＬ）の立ち上げ及び立ち下げタイミングを規定したデータテーブルを複数組有し、
指定されたデータテーブルを用いて前記スタートパルス信号（ＳＤＳＴ）、クロック信号（ＳＤＣＫ）、水平同期信号（ＴＳＨＤ）、選択信号（ＶＣＯＭＳＥＬ）を生成する、請求項５に記載のタッチ駆動装置。
【請求項７】
請求項１乃至６の内のいずれか１項に記載のタッチ駆動装置と、
前記検知電極の検出信号を前記タッチ駆動信号（ＴＳＶＣＯＭ）の前記パルス波形に対応したタイミングでサンプリングすることにより外部近接物体を検知するタッチ検出部（ＴＰＩＣ）を更に備えるタッチ検出装置。
【請求項８】
請求項７に記載のタッチ検出装置と、
映像信号及び表示駆動信号に基づいて表示を行う表示画素と、を有し、
前記ドライバ（ＤＤＩ）は、前記複数の駆動電極に対して前記表示駆動信号を順次印加する表示走査駆動と前記タッチ駆動とを時分割的に交互に繰り返して実行する、タッチ検出機能付き表示装置。
【請求項９】
前記ドライバ（ＤＤＩ）は、前記表示走査駆動において時分割的に表示駆動信号を印加する駆動電極と同一の駆動電極に、前記タッチ走査駆動において時分割的に前記タッチ駆動信号（ＴＳＶＣＯＭ）を印加する、請求項８に記載のタッチ検出機能付き表示装置。
【請求項１０】
前記ドライバ（ＤＤＩ）は、前記表示走査駆動において時分割的に表示駆動信号を印加する駆動電極と、前記タッチ走査駆動において時分割的に前記タッチ駆動信号（ＴＳＶＣＯＭ）を印加する駆動電極とをそれぞれ独立に制御する、請求項８に記載のタッチ検出機能付き表示装置。
【請求項１１】
前記シフトレジスタ回路は、
前記スタートパルス信号（ＳＤＳＴ）が一方の電位状態の際、前記クロック信号（ＳＤＣＫ）が変化した数に対応した数Ｍ（１以上の整数）本の前記駆動電極部を選択可能とし、
前記スタートパルス信号（ＳＤＳＴ）が他方の電位状態の際、前記クロック信号（ＳＤＣＫ）が変化した数に対応した数だけ位置がシフトされたＭ本の前記駆動電極部を選択可能とするように構成される請求項２に記載のタッチ駆動装置。
【請求項１２】
前記シフトレジスタ回路は、直列に接続される複数のシフトレジスタを有し、
前記シフトレジスタ回路の前記複数のシフトレジスタの内、奇数段に配されるシフトレジスタはそれぞれ、
前記クロック信号（ＳＤＣＫ）が一方の電位のときに前段のシフトレジスタから入力した信号をインバートする第１のインバータと、
前記第１のインバータの出力をインバートして、前記駆動電極部を選択可能とする信号として出力すると共に後段のシフトレジスタに出力する第２のインバータと、
前記第２のインバータの出力をインバートして前記第２のインバータの入力にフィードバックする第３のインバータと、を備え、
前記シフトレジスタ回路の前記複数のシフトレジスタの内、偶数段に配されるシフトレジスタはそれぞれ、
前記クロック信号（ＳＤＣＫ）が前記他方の電位のときに前段のシフトレジスタから入力した信号をインバートする第４のインバータと、
前記第４のインバータの出力をインバートして、前記駆動電極部を選択可能とする信号として出力すると共に後段のシフトレジスタに出力する第５のインバータと、
前記第５のインバータの出力をインバートして前記第５のインバータの入力にフィードバックする第６のインバータと、を備え、
前記シフトレジスタ回路の前記複数のシフトレジスタの内、初段の前記シフトレジスタには、前記前段のシフトレジスタからの出力信号に替えて前記スタートパルス信号（ＳＤＳＴ）が入力されるように構成される請求項１１に記載のタッチ駆動装置。
【請求項１３】
前記シフトレジスタ回路のそれぞれの前記レジスタは、
切替信号（ＳＤＯＤＤ）と前段のシフトレジスタから入力した信号をインバートした信号とのＮＡＮＤ演算を行うＮＡＮＤ回路と、
前記ＮＡＮＤ回路の出力信号と前記第２のインバータあるいは前記第５のインバータの出力信号とのＡＮＤ演算を行って前記駆動電極部を選択可能とする信号を得て、得られた信号を出力するＡＮＤ回路と、を更に備え、
初段の前記シフトレジスタには、前記前段のシフトレジスタからの出力信号に替えて前記スタートパルス信号（ＳＤＳＴ）が入力されるように構成される請求項１２に記載のタッチ駆動装置。
【請求項１４】
前記シフトレジスタ回路は、直列に接続される複数のシフトレジスタを有し、
それぞれの前記シフトレジスタは、第１サブシフトレジスタと第２サブシフトレジスタとを有し、
前記第１サブシフトレジスタは、
前段のシフトレジスタから入力される信号と第１フィードバック信号とのＮＯＲ演算を行う第１のＮＯＲ回路と、
前記第１のＮＯＲ回路の出力端子にゲート端子が接続され、ドレイン端子に前記クロック信号（ＳＤＣＫ）が入力される第１のＰチャネルトランジスタと、
前記第１のＮＯＲ回路の出力信号をインバートする第１のインバータと、
前記第１のインバータの出力端子にゲート端子が接続され、ソース端子に前記クロック信号（ＳＤＣＫ）が入力される第１のＮチャネルトランジスタと、
前記第１のＮＯＲ回路の出力端子にゲート端子が接続され、ドレイン端子が前記第１のＰチャネルトランジスタのソース端子及び前記第１のＮチャネルトランジスタのドレイン端子に接続され、ソース端子が低電位に接続される第３のＮチャネルトランジスタと、
前記第３のＮチャネルトランジスタのドレイン端子からの信号を変換して、前記駆動電極部を選択可能とする信号に変換して、前記第２サブシフトレジスタに出力する第１の２連インバータと、を備え、
前記第２サブシフトレジスタは、
前記第１サブシフトレジスタから入力される信号と第２フィードバック信号とのＮＯＲ演算を行う第１のＮＯＲ回路と、
前記第２のＮＯＲ回路の出力端子にゲート端子が接続され、ドレイン端子に前記クロック信号（ＳＤＣＫ）が入力される第２のＰチャネルトランジスタと、
前記第２のＮＯＲ回路の出力信号をインバートする第２のインバータと、
前記第２のインバータの出力端子にゲート端子が接続され、ソース端子に前記クロック信号（ＳＤＣＫ）が入力される第２のＮチャネルトランジスタと、
前記第２のインバータの出力端子にゲート端子が接続され、ドレイン端子が前記第２のＰチャネルトランジスタのソース端子及び前記第２のＮチャネルトランジスタのドレイン端子に接続され、ソース端子が高電位に接続される第４のＰチャネルトランジスタと、
前記第４のＰチャネルトランジスタのドレイン端子からの信号をインバートする第４のインバータと、
前記第４のインバータの出力信号を変換して、前記駆動電極部を選択可能とする信号に変換して、次段のシフトレジスタに出力する第２の２連インバータと、を備え、
前記第１フィードバック信号は、前記第３のＮチャネルトランジスタのドレイン端子から出力され、
前記第２フィードバック信号は、前記第４のインバータから出力され、
初段の前記シフトレジスタの第１サブシフトレジスタには、前記前段のシフトレジスタからの出力信号に替えて前記スタートパルス信号（ＳＤＳＴ）が入力されるように構成される請求項１１に記載のタッチ駆動装置。
【請求項１５】
請求項１１乃至１４の内のいずれか１項に記載のタッチ駆動装置と、
前記検知電極の検出信号を前記タッチ駆動信号（ＴＳＶＣＯＭ）の前記パルス波形に対応したタイミングでサンプリングすることにより外部近接物体を検知するタッチ検出部（ＴＰＩＣ）を更に備えるタッチ検出装置。
【請求項１６】
請求項１５に記載のタッチ検出装置と、
映像信号及び表示駆動信号に基づいて表示を行う表示画素と、を有し、
前記ドライバ（ＤＤＩ）は、前記複数の駆動電極に対して前記表示駆動信号を順次印加する表示走査駆動と前記タッチ駆動とを時分割的に交互に繰り返して実行する、タッチ検出機能付き表示装置。
【発明の詳細な説明】
【技術分野】
【０００１】
本発明の実施形態は、タッチ駆動装置、タッチ検出装置、及びタッチ検出機能付き表示装置に関する。
【背景技術】
【０００２】
近年、いわゆるタッチパネルと呼ばれるタッチ検出装置を液晶表示装置などの表示装置上に装着し、あるいはタッチパネルと表示装置を一体化し、その表示装置に各種のボタン画像等を表示させることにより、通常の機械式ボタンの代わりとして情報入力を可能とした表示装置が注目されている。このようなタッチ検出機能を有する表示装置は、キーボード、マウス、キーパッドのような入力装置を必要としないため、コンピュータのほか、携帯電話のような携帯情報端末などでも、使用が拡大する傾向にある。
【０００３】
タッチパネルの方式としては、一方向に延伸する複数の電極を互いに交差するように配置した静電容量式のタッチパネルが知られている。このタッチパネルでは、各電極は、それぞれ制御回路と接続され、制御回路から励磁電流を供給することにより、外部近接物体を検出するようになされている。
【０００４】
タッチ検出機能付表示装置としては、表示装置の表示面上にタッチパネルを形成した、いわゆるオンセルタイプの表示装置の他に、表示装置にもともと備えられている表示用の共通電極を、一対のタッチセンサ用電極のうちの一方として兼用し、他方の電極（タッチ検知電極）をこの共通電極と交差するように配置した、いわゆるインセルタイプの表示装置が提案されている。
【０００５】
特許文献１には、タッチセンサ用駆動電極を所定の複数本ずつ時分割的に順次選択し、その選択された駆動電極に対してタッチ検出駆動信号を印加して、走査ピッチが選択された複数本の駆動対象電極の全幅よりも小さくなるように走査駆動（以下、「束ね駆動」という。）を行うタッチ検出装置が開示されている。
【先行技術文献】
【特許文献】
【０００６】
【特許文献１】特開２０１２−６８９８０号公報
【発明の概要】
【発明が解決しようとする課題】
【０００７】
ところで、上述の束ね駆動は表示動作と同期する必要もあることから、上記タッチ検出装置では、タッチ駆動動作を制御するタッチドライバ（ＴＰＩＣ）と表示動作を制御するディスプレイドライバ（ＤＤＩ）とが協働してタッチ駆動制御を実行するように構成されている。そのため、ディスプレイドライバはこのタッチ駆動制御機能をパターン化して実装している。
【０００８】
しかしながら、同じディスプレイドライバを各種のディスプレイパネルに対して適用しようとした場合、表示動作とタッチ駆動動作を最適化するため実装するタッチ駆動制御機能のパターンを変更する必要が生じるケースが発生した。
【０００９】
本発明は、斯かる事情に鑑みてなされたものであって、種々の表示仕様に柔軟に対応して所望のタッチ動作を実現することができるタッチ駆動装置、タッチ検出装置、及びタッチ検出機能付き表示装置を提供することを目的とする。
【課題を解決するための手段】
【００１０】
一実施形態に係るタッチ駆動装置は、一方向に延在するように並設された複数の駆動電極と、前記駆動電極の延在方向と交差する方向に延在し、その交差部分に静電容量を形成するように配置された検知電極と、前記複数の駆動電極を少なくとも一つの駆動電極を含む複数の駆動電極部に区分し、前記複数の駆動電極部から選択された駆動対象電極部に対して外部近接物体を検知するためのパルス波形を有するタッチ駆動信号（ＴＳＶＣＯＭ）を印加することによりタッチ走査駆動を行うドライバ（ＤＤＩ）と、を備え、前記駆動電極部に含まれる前記駆動電極の本数、及び前記タッチ駆動信号（ＴＳＶＣＯＭ）が印加される前記駆動対象電極部は指定可能になされる。
【図面の簡単な説明】
【００１１】
【図１】第１の実施の形態のタッチ検出機能付き表示装置における表示装置の概略の構成を示す図である。
【図２】第１の実施の形態のタッチ検出機能付き表示装置の構造をより詳細に示す断面図である。
【図３】第１の実施の形態のタッチ検出機能付き表示装置のミューチャル検出方式の代表的な基本構成を示す図である。
【図４】第１の実施の形態のタッチ検出機能付き表示装置のセンサの概略の構成を示す図である。
【図５】第１の実施の形態のタッチ検出機能付き表示装置のミューチャル検出方式の駆動方法を説明するための図である。
【図６】第１の実施の形態のタッチ検出機能付き表示装置のミューチャル検出方式の駆動信号線の接続を説明するための図である。
【図７】第１の実施の形態のタッチ検出機能付き表示装置のディスプレイドライバの構成を示すブロック図である。
【図８】第１の実施の形態のタッチ検出機能付き表示装置の表示束ねライン数を指定した際の表示動作及びタッチ駆動動作の駆動方法を説明するための図である。
【図９】第１の実施の形態のタッチ検出機能付き表示装置のディスプレイドライバの駆動信号の出力タイミング例を示す図である。
【図１０】第１の実施の形態のタッチ検出機能付き表示装置のディスプレイドライバの駆動信号の詳細の出力タイミング例を示す図である。
【図１１】第１の実施の形態のタッチ検出機能付き表示装置のタッチ駆動動作のバリエーションの一例を説明するための図である。
【図１２】第１の実施の形態のタッチ検出機能付き表示装置のタッチ駆動動作のバリエーションの一例を説明するための図である。
【図１３】第１の実施の形態のタッチ検出機能付き表示装置のタッチ駆動動作のバリエーションの一例を説明するための図である。
【図１４】図１３に示すタッチ駆動動作を例示する図である。
【図１５】第２の実施の形態のタッチ検出機能付き表示装置の表示動作及びタッチ駆動動作の駆動方法を説明するための図である。
【図１６】第３の実施の形態のタッチ検出機能付き表示装置のタッチ駆動回路のシフトレジスタ回路の詳細の構成を示す図である。
【図１７】第３の実施の形態のタッチ検出機能付き表示装置のタッチ駆動回路のシフトレジスタ回路の動作を説明するための図である。
【図１８】第３の実施の形態のタッチ検出機能付き表示装置のタッチ駆動回路のシフトレジスタ回路の動作を説明するためのバリエーションの図である。
【図１９】第３の実施の形態のタッチ検出機能付き表示装置のタッチ駆動回路のシフトレジスタ回路の動作を説明するための他のバリエーションの図である。
【図２０】第３の実施の形態のタッチ検出機能付き表示装置のタッチ駆動回路のシフトレジスタ回路の動作を説明するための更に他のバリエーションの図である。
【図２１】第３の実施の形態のタッチ検出機能付き表示装置のタッチ駆動回路のシフトレジスタ回路の動作を説明するための別のバリエーションの図である。
【図２２】第４の実施の形態のタッチ検出機能付き表示装置のタッチ駆動回路のシフトレジスタ回路の詳細の構成を示す図である。
【図２３】第４の実施の形態のタッチ検出機能付き表示装置のタッチ駆動回路のシフトレジスタ回路の動作を説明するための図である。
【図２４】第５の実施の形態のタッチ検出機能付き表示装置のタッチ駆動回路のシフトレジスタ回路の詳細の構成を示す図である。
【図２５】第５の実施の形態のタッチ検出機能付き表示装置のタッチ駆動回路のインバータの構成例を示す図である。
【発明を実施するための形態】
【００１２】
以下に、本発明の各実施の形態について、図面を参照しつつ説明する。  
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１３】
[第１の実施の形態]  
図１は、第１の実施の形態のタッチ検出機能付き表示装置ＤＳＰにおける表示装置の概略の構成を示す図である。なお、本実施の形態において、表示装置は液晶表示装置である。また、本願の「タッチ検出」は、指などがタッチパネルに接触したことを検知する意味の他、指などがタッチパネルに近接したことを検知する意味も含む用語として用いられる。
【００１４】
表示装置は、表示パネルＰＮＬと、表示パネルＰＮＬを背面側から照明するバックライトＢＬＴと、を備えている。そして表示パネルＰＮＬには、マトリクス状に配置された表示画素ＰＸを含む表示部が設けられている。
【００１５】
図１に示すように、表示部においては、複数の表示画素ＰＸが配列する行に沿って延びる走査線Ｇ（Ｇ１、Ｇ２…）と、複数の表示画素ＰＸが配列する列に沿って延びるソース線Ｓ（Ｓ１、Ｓ２…）と、走査線Ｇとソース線Ｓが交差する位置近傍に配置された画素スイッチＳＷとが備えられている。
【００１６】
画素スイッチＳＷは薄膜トランジスタ（ＴＦＴ：Ｔｈｉｎ  Ｆｉｌｍ  Ｔｒａｎｓｉｓｔｏｒ）を備えている。画素スイッチＳＷのゲート電極は対応する走査線Ｇと電気的に接続されている。画素スイッチＳＷのソース電極は対応するソース線Ｓと電気的に接続されている。画素スイッチＳＷのドレイン電極は対応する画素電極ＰＥと電気的に接続されている。
【００１７】
また、複数の表示画素ＰＸを駆動する駆動手段として、ゲートドライバＧＤ（左側ＧＤ−Ｌおよび右側ＧＤ−Ｒ）とソースドライバＳＤとが設けられている。複数の走査線ＧはゲートドライバＧＤの出力端子と電気的に接続されている。複数のソース線ＳはソースドライバＳＤの出力端子と電気的に接続されている。
【００１８】
ゲートドライバＧＤとソースドライバＳＤとは、表示部の周囲の領域（額縁）に配置されている。ゲートドライバＧＤは複数の走査線Ｇにオン電圧を順次印加して、選択された走査線Ｇに電気的に接続された画素スイッチＳＷのゲート電極にオン電圧を供給する。ゲート電極にオン電圧が供給された画素スイッチＳＷの、ソース電極−ドレイン電極間が導通する。ソースドライバＳＤは、複数のソース線Ｓのそれぞれに対応する出力信号を供給する。ソース線Ｓに供給された信号は、ソース電極−ドレイン電極間が導通した画素スイッチＳＷを介して対応する画素電極ＰＥに印加される。
【００１９】
ゲートドライバＧＤとソースドライバＳＤとは、表示パネルＰＮＬの外部に配置された制御回路ＣＴＲにより動作を制御される。また制御回路ＣＴＲは、後述する共通電極ＣＯＭＥに共通電圧Ｖｃｏｍを供給している。さらに制御回路ＣＴＲは、バックライトＢＬＴの動作を制御する。
【００２０】
図２は、第１の実施の形態のタッチ検出機能付き表示装置ＤＳＰの構造をより詳細に示す断面図である。
【００２１】
タッチ検出機能付き表示装置ＤＳＰは、表示パネルＰＮＬ、バックライトＢＬＴ、第１光学素子ＯＤ１及び第２光学素子ＯＤ２を備えている。図示した例では、表示パネルＰＮＬは、液晶表示パネルであるが、有機エレクトロルミネッセンス表示パネルなどの他のフラットパネルであっても良い。また、図示した表示パネルＰＮＬは、表示モードとしてＦＦＳ（Ｆｒｉｎｇｅ  Ｆｉｅｌｄ  Ｓｗｉｔｃｈｉｎｇ）モードに対応した構成を有しているが、他の表示モードに対応した構成を有していても良い。
【００２２】
表示パネルＰＮＬは、第１基板ＳＵＢ１、第２基板ＳＵＢ２、及び、液晶層ＬＱを備えている。第１基板ＳＵＢ１と第２基板ＳＵＢ２とは所定のセルギャップを形成した状態で貼り合わされている。液晶層ＬＱは、第１基板ＳＵＢ１と第２基板ＳＵＢ２との間のセルギャップに保持されている。
【００２３】
第１基板ＳＵＢ１は、ガラス基板や樹脂基板などの光透過性を有する第１絶縁基板１０を用いて形成されている。第１基板ＳＵＢ１は、第１絶縁基板１０の第２基板ＳＵＢ２に対向する側に、ソース線Ｓ、共通電極ＣＯＭＥ、画素電極ＰＥ、第１絶縁膜１１、第２絶縁膜１２、第３絶縁膜１３、第１配向膜ＡＬ１などを備えている。  
ここで、画素電極ＰＥ及び共通電極ＣＯＭＥは、これら電極間に配置される液晶層の画素領域とともに表示画素を構成し、表示画素は表示パネルＰＮＬにマトリクス状に配置されている。
【００２４】
第１絶縁膜１１は、第１絶縁基板１０の上に配置されている。なお、詳述しないが、第１絶縁基板１０と第１絶縁膜１１との間には、ゲート線Ｇ、スイッチング素子のゲート電極や半導体層などが配置されている。ソース線Ｓは、第１絶縁膜１１の上に形成されている。また、スイッチング素子のソース電極やドレイン電極なども第１絶縁膜１１の上に形成されている。図示した例では、ソース線Ｓは、共通電極ＣＯＭＥと平行して第２方向Ｙに延出している。
【００２５】
第２絶縁膜１２は、ソース線Ｓ及び第１絶縁膜１１の上に配置されている。共通電極ＣＯＭＥは、第２絶縁膜１２の上に形成されている。図示した例では、共通電極ＣＯＭＥは、複数のセグメントによって構成されている。共通電極ＣＯＭＥの各セグメントは、それぞれ第２方向Ｙに延出し、間隔をおいて第１方向Ｘに並んでいる。このような共通電極ＣＯＭＥは、インジウム・ティン・オキサイド（ＩＴＯ）やインジウム・ジンク・オキサイド（ＩＺＯ）などの透明な導電材料によって形成されている。なお、図示した例では、共通電極ＣＯＭＥの上に金属層ＭＬが形成され、共通電極ＣＯＭＥを低抵抗化しているが、金属層ＭＬは省略しても良い。
【００２６】
第３絶縁膜１３は、共通電極ＣＯＭＥ及び第２絶縁膜１２の上に配置されている。画素電極ＰＥは、第３絶縁膜１３の上に形成されている。各画素電極ＰＥは、隣接するソース線Ｓの間にそれぞれ位置し、共通電極ＣＯＭＥと対向している。また、各画素電極ＰＥは、共通電極ＣＯＭＥと対向する位置にスリットＳＬを有している。このような画素電極ＰＥは、例えば、ＩＴＯやＩＺＯなどの透明な導電材料によって形成されている。第１配向膜ＡＬ１は、画素電極ＰＥ及び第３絶縁膜１３を覆っている。
【００２７】
一方、第２基板ＳＵＢ２は、ガラス基板や樹脂基板などの光透過性を有する第２絶縁基板１５を用いて形成されている。第２基板ＳＵＢ２は、第２絶縁基板１５の第１基板ＳＵＢ１に対向する側に、ブラックマトリクスＢＭ、カラーフィルタＣＦＲ、ＣＦＧ、ＣＦＢ、オーバーコート層ＯＣ、第２配向膜ＡＬ２などを備えている。
【００２８】
ブラックマトリクスＢＭは、第２絶縁基板１５の内面に形成され、各画素を区画している。カラーフィルタＣＦＲ、ＣＦＧ、ＣＦＢは、それぞれ第２絶縁基板１５の内面に形成され、それらの一部がブラックマトリクスＢＭに重なっている。カラーフィルタＣＦＲは赤色カラーフィルタであり、カラーフィルタＣＦＧは緑色カラーフィルタであり、カラーフィルタＣＦＢは青色カラーフィルタである。オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
【００２９】
検知電極Ｒｘは、第２絶縁基板１５の外面に形成されている。この検知電極Ｒｘは、島状に形成されているが、ここでは、簡略化して図示しており、リード線の図示を省略している。検知電極Ｒｘの詳細な構造については後述する。このような検知電極Ｒｘは、例えば、ＩＴＯやＩＺＯなどの透明な導電材料によって形成されている。
【００３０】
バックライトＢＬＴは、表示パネルＰＮＬの背面側に配置されている。バックライトＢＬＴとしては、種々の形態が適用可能であり、光源として発光ダイオード（ＬＥＤ）を利用したものや冷陰極管（ＣＣＦＬ）を利用したものなどのいずれでも適用可能であるが、詳細な構造については説明を省略する。
【００３１】
第１光学素子ＯＤ１は、第１絶縁基板１０とバックライトＢＬＴとの間に配置されている。第２光学素子ＯＤ２は、検知電極ＤＥＴＥの上に配置されている。第１光学素子ＯＤ１及び第２光学素子ＯＤ２は、それぞれ少なくとも偏光板を含んでおり、必要に応じて位相差板を含んでいても良い。
【００３２】
続いて、第１の実施の形態のタッチ検出機能付き表示装置ＤＳＰに用いられるタッチセンサについて説明する。タッチパネルに対して利用者の指或いはペンが触れていること、或いは近接していることを検出する方式として、ミューチャル(Mutual)検出方式の原理を説明する。
【００３３】
図３は、第１の実施の形態のタッチ検出機能付き表示装置ＤＳＰのミューチャル検出方式の代表的な基本構成を示す図である。共通電極ＣＯＭＥと検知電極ＤＥＴＥとが利用される。共通電極ＣＯＭＥは、複数のストライプ状共通電極Ｃｏｍｅ１，Ｃｏｍｅ２，Ｃｏｍｅ３・・・・を含む。この複数のストライプ状共通電極Ｃｏｍｅ１，Ｃｏｍｅ２，Ｃｏｍｅ３・・・・が走査（駆動）方向（Ｙ方向またはＸ方向）に配列されている。
【００３４】
一方、検知電極ＤＥＴＥは、複数のストライプ状検知電極Ｄｅｔｅ１，Ｄｅｔｅ２，Ｄｅｔｅ３，・・・・（ストライプ状共通電極よりも細い）を含む。この複数のストライプ状検知電極Ｄｅｔｅ１，Ｄｅｔｅ２，Ｄｅｔｅ３，・・・・は、ストライプ状共通電極Ｃｏｍｅ１，Ｃｏｍｅ２，Ｃｏｍｅ３・・・・と直交する方向（Ｘ方向またはＹ方向）に配列されている。
【００３５】
共通電極ＣＯＭＥと検知電極ＤＥＴＥは、間隔を置いて配置される。このために、複数のストライプ状共通電極Ｃｏｍｅ１，Ｃｏｍｅ２，Ｃｏｍｅ３・・・・と、複数のストライプ状検知電極Ｄｅｔｅ１，Ｄｅｔｅ２，Ｄｅｔｅ３，・・・・との間には、基本的に容量Ｃｃが存在する。
【００３６】
複数のストライプ状共通電極Ｃｏｍｅ１，Ｃｏｍｅ２，Ｃｏｍｅ３・・・・は所定の周期で駆動パルスＴＳＶＣＯＭにより走査される。今、ユーザの指がストライプ状検知電極Ｄｅｔｅ２に近接して存在するものとする。すると、ストライプ状共通電極Ｃｏｍｅ２に駆動パルスＴＳＶＣＯＭが供給されたときに、ストライプ状検知電極Ｄｅｔｅ２からは、他のストライプ状検知電極から得られるパルスよりもレベルの低いパルスが得られる。これは、指により容量Ｃｘが生じ、これが容量Ｃｃに加えられるからである。ミューチャル検出では、この検出レベルの低いパルスを、ポジションＤＥＴＰの検出パルスとして取り扱うことができる。
【００３７】
上記の容量Ｃｘは、ユーザの指が検知電極ＤＥＴＥに近い場合と、遠い場合とで異なる。このために検出パルスのレベルもユーザの指が検知電極ＤＥＴＥに近い場合と、遠い場合とで異なる。よって、タッチパネルの平面に対する指の近接度を検出パルスのレベルで判断することができる。勿論、駆動パルスＴＳＶＣＯＭによる電極駆動タイミングと、検出パルスの出力タイミングにより、タッチパネルの平面上の指の２次元上の位置を検出することができる。
【００３８】
図４は、第１の実施の形態のタッチ検出機能付き表示装置ＤＳＰのセンサの概略の構成を示す図である。図４（１）はタッチ検出機能付き表示装置ＤＳＰの断面図を示し、図４（２）はセンサの構成を示す平面図を示している。
【００３９】
図４（１）に示すように、タッチ検出機能付き表示装置ＤＳＰは、アレイ基板ＡＲと、対向基板ＣＴと、アレイ基板ＡＲと対向基板ＣＴとの間に保持された液晶層ＬＱと、を備えている。  
なお、以下では説明の簡略のために、上述のストライプ状共通電極Ｃｏｍｅ１，Ｃｏｍｅ２，Ｃｏｍｅ３・・・・を共通電極ＣＯＭＥと表す。また、ストライプ状検出電極Ｄｅｔｅ１，Ｄｅｔｅ２，Ｄｅｔｅ３，・・・・を検出電極ＤＥＴＥと表す。
【００４０】
アレイ基板ＡＲは、ＴＦＴ基板１０と、共通電極ＣＯＭＥと、を備えている。ＴＦＴ基板１０は、ガラス等の透明絶縁基板と、図示しないスイッチング素子と、ソース配線やゲート配線等の各種配線と、これらを覆う絶縁膜である平坦化層と、を備えている。共通電極ＣＯＭＥは、ＴＦＴ基板１０上に配置され絶縁層に覆われている。共通電極ＣＯＭＥは、例えば、第１方向に延びるとともに第１方向に直交する第２方向に複数並んだストライプ状に配置されている。共通電極ＣＯＭＥは、例えばＩＴＯ（Ｉｎｄｉｕｍ  Ｔｉｎ  Ｏｘｉｄｅ）やＩＺＯ（Ｉｎｄｉｕｍ  ｚｉｎｃ  ｏｘｉｄｅ）等の透明電極材料によって形成されている。本実施形態では、共通電極ＣＯＭＥは、センサ用駆動電極としても用いられる。
【００４１】
対向基板ＣＴは、ガラス等の透明絶縁基板１５と、カラーフィルタＣＦと、検知電極ＤＥＴＥと、偏光板ＰＬと、を備えている。カラーフィルタＣＦは、透明絶縁基板１５上に配置されている。カラーフィルタＣＦは、オーバーコート層ＯＣに覆われている。検知電極ＤＥＴＥは、透明絶縁基板１５の外側（カラーフィルタＣＦと反対側）の主面に配置されている。検知電極ＤＥＴＥは、共通電極ＣＯＭＥが延びた方向（第１方向）と略直交する方向（第２方向）に延びるとともに、第１方向に複数並んだストライプ状に配置されている。検知電極ＤＥＴＥは、例えばＩＴＯやＩＺＯ等の透明電極材料によって形成されている。偏光板ＰＬは、検知電極ＤＥＴＥ上（透明絶縁基板１５のカラーフィルタＣＦと反対側）に配置されている。
【００４２】
図４（２）は、上述の共通電極ＣＯＭＥと検知電極ＤＥＴＥとの一構成例を説明するための図である。第１の実施の形態のタッチ検出機能付き表示装置ＤＳＰでは、タッチドライバＴＰＩＣとディスプレイドライバＤＤＩとが協働することにより、共通電極ＣＯＭＥには駆動パルスＴＳＶＣＯＭが入力され、検知電極ＤＥＴＥから検出パルスが得られる。ディスプレイドライバＤＤＩは駆動パルスＴＳＶＣＯＭを出力し、タッチドライバＴＰＩＣは、駆動パルスＴＳＶＣＯＭを入力した共通電極ＣＯＭＥの位置と、検出パルスの波形とから指の接触位置を把握する。ここで、タッチ位置の算出は、不図示の外部装置が行うように構成することができる。なお、ディスプレイドライバＤＤＩから出力される信号の詳細、及びディスプレイドライバＤＤＩとタッチドライバＴＰＩＣとの授受信号の詳細については後述する。
【００４３】
図５は、第１の実施の形態のタッチ検出機能付き表示装置ＤＳＰのミューチャル検出方式の駆動方法を説明するための図である。
【００４４】
図５（１）には、共通電極ＣＯＭＥの駆動単位Ｔｘを示している。駆動単位Ｔｘ１、・・・ＴｘＮはそれぞれ連続する複数のストライプ状共通電極Ｃｏｍｅで構成されている。上述のように、映像表示に使用される共通電極ＣＯＭＥがタッチ位置検知用の駆動電極としても共用されているため、映像表示動作とタッチ位置検知動作とをタイムシェアリングにより駆動する。
【００４５】
図５（２）に示す駆動方式では、１フレーム期間を複数のユニットで構成する。１ユニット内は、映像を表示する映像表示期間とタッチ位置を検出するタッチ位置検出期間とに分割される。分割された映像表示期間と分割されたタッチ位置検出期間とが交互に繰り返されて１フレーム期間が構成される。即ち、ＲＧＢの３色のいずれかを選択する信号（ＳＥＬＲ／Ｇ／Ｂ）に対応して色毎の映像信号（ＳＩＧｎ）を出力する動作を複数の表示行について実行した後、駆動単位Ｔｘ（複数のストライプ状共通電極Ｃｏｍｅ）に駆動パルスＴＳＶＣＯＭを入力するミューチャル検出動作を実行する。そして、分割された複数の表示行と複数の駆動単位Ｔｘ（Ｔｘ１、・・・、ＴｘＮ）について上述の動作を順次繰り返して実行する。なお、複数の表示行と複数の駆動単位Ｔｘの行は、同一になるように表示とタッチ駆動とを同期して制御しても良く、表示とタッチ駆動とをそれぞれ独立して制御するように構成しても良い。
【００４６】
図６は、第１の実施の形態のタッチ検出機能付き表示装置ＤＳＰのミューチャル検出方式の駆動信号線の接続を説明するための図である。図６は、タッチドライバ（ＴＰＩＣ）とディスプレイドライバ（ＤＤＩ）の２つのＩＣチップで構成される、２チップシステムを示している。このシステムでは、タッチドライバＴＰＩＣとディスプレイドライバＤＤＩとが同期をとりながら表示動作とタッチ駆動動作とを実行する。
【００４７】
ＴＦＴ基板１０には、ディスプレイドライバＤＤＩが設けられている。またＴＦＴ基板１０には、シフトレジスタＳＲを含むタッチ駆動回路２０が設けられている。ディスプレイドライバＤＤＩから出力される駆動信号は、タッチ駆動回路２０を介して共通電極ＣＯＭＥに駆動パルスＴＳＶＣＯＭを供給する。対向基板ＣＴには、検知電極ＤＥＴＥが設けられ、検知電極ＤＥＴＥからのセンサ検知線は、外部引出し用電極を介してタッチドライバＴＰＩＣに電気的に接続している。
【００４８】
そして、タッチドライバＴＰＩＣは、ＦＰＣ（Flexible Print Circuit）を介して外部のホスト処理部ＨＯＳＴと接続されている。なお、タッチドライバＴＰＩＣとホスト処理部ＨＯＳＴとの間は、Ｉ２Ｃ（Inter-Integrated Circuit）、ＳＰＩ（Serial Peripheral Interface）などの通信方式により情報の授受が行われる。また、タッチドライバＴＰＩＣには、外部より電源（VDD, Vbus）が供給される。
【００４９】
次に、タッチドライバＴＰＩＣとディスプレイドライバＤＤＩとの間の授受信号について説明する。
【００５０】
ディスプレイドライバＤＤＩは、タッチドライバＴＰＩＣに同期をとるための信号を出力する。同期のための信号には垂直同期信号ＴＳＶＤ、及び水平同期信号ＴＳＨＤが含まれる。垂直同期信号ＴＳＶＤはフレームの開始を表す同期信号である。水平同期信号ＴＳＨＤはフレーム中の１ライン毎の動作に対応する同期信号である。タッチドライバＴＰＩＣは、水平同期信号ＴＳＨＤに同期して、タッチ検出のためのサンプリングタイミングに正確に同期した駆動同期信号ＥＸＶＣＯＭをディスプレイドライバＤＤＩに出力する。ディスプレイドライバＤＤＩは、駆動同期信号ＥＸＶＣＯＭをレベルシフト及びインピーダンス変換した駆動パルスＴＳＶＣＯＭをタッチ駆動回路２０に出力する。
【００５１】
タッチ駆動回路２０は、シフトレジスタ回路２１、選択回路２２、切替回路２３を備えている。ここで、タッチ駆動回路２０の構成と動作を、一つのシフトレジスタ２１ａとそれに接続する回路を例として説明する。
【００５２】
シフトレジスタ２１ａには、転送回路制御信号として転送スタートパルスＳＤＳＴ、転送クロックＳＤＣＫ１が入力される。なお、仕様に応じて２つの転送クロックＳＤＣＫ１、ＳＤＣＫ２を用いても良い。転送スタートパルスＳＤＳＴは、転送クロックＳＤＣＫ１により順次送られて、各段のシフトレジスタから出力される。なお、このシフトレジスタでは１つの転送クロックＳＤＣＫ１を用いているが、２つの転送クロックＳＤＣＫ１、ＳＤＣＫ２を用いてスタートパルスを転送する方式のシフトレジスタを用いても良い。
【００５３】
シフトレジスタ２１ａの出力端子は、選択回路２２を構成するＡＮＤ回路２２ａの１つの入力端子に接続している。ＡＮＤ回路２２ａの他の入力端子には、駆動同期選択信号ＥＸＶＣＯＭＳＥＬが入力される。駆動同期選択信号ＥＸＶＣＯＭＳＥＬは、タッチ位置検出期間において「１」となり、映像表示期間においては「０」となる信号である。そのため、タッチ位置検出期間であってシフトレジスタ２１ａの出力が「１」となる期間、ＡＮＤ回路２２ａの出力は「１」となり、切替回路２３に設けられたタッチスイッチ２３ａが接続状態（オン状態）に切り替わる。一方、映像表示期間では、ＡＮＤ回路２２ａの出力は「０」となる。このＡＮＤ回路２２ａの出力は選択回路２２を構成するインバータ２２ｂによって「１」となり、切替回路２３に設けられた表示スイッチ２３ｂが接続状態（オン状態）に切り替わる。
【００５４】
従って、タッチ位置検出期間では、対応するシフトレジスタ２１ａの出力が「１」となる期間に共通電極ＣＯＭＥにはタッチスイッチ２３ａを介して駆動パルスＴＳＶＣＯＭが入力される。一方、対応するシフトレジスタ２１ａの出力が「０」となる期間では共通電極ＣＯＭＥにはタッチスイッチ２３ａを介して直流信号ＶＣＯＭＤＣが入力される。映像表示期間では、表示スイッチ２３ｂを介して共通電極ＣＯＭＥには直流信号ＶＣＯＭＤＣが入力される。
【００５５】
ここで、タッチスイッチ２３ａのパネルＰＮＬ側の一端は、少なくとも一つのストライプ状共通電極Ｃｏｍｅと接続している。このストライプ状共通電極Ｃｏｍｅにパルス列である駆動パルスＴＳＶＣＯＭを入力することによってＳ／Ｎの良い検知信号を得ることができる。なお、タッチスイッチ２３ａのパネルＰＮＬ側の一端に接続するストライプ状共通電極の数は固定に限られず、後述するように可変に構成されても良い。また、タッチ位置検出期間は、１つのシフトレジスタの出力に接続されたストライプ状共通電極Ｃｏｍｅに限られず、複数のシフトレジスタの出力に接続された複数のストライプ状共通電極Ｃｏｍｅを対象としてタッチ駆動動作を実行する期間でもある。この詳細については後述する。
【００５６】
なお、タッチドライバＴＰＩＣには基準周波数発信器が独立して設けられている。従って、タッチ駆動の駆動周波数は、表示の駆動周波数と独立して任意の値に設定することができる。
【００５７】
以上説明したように、タッチドライバＴＰＩＣとディスプレイドライバＤＤＩとが同期をとりながらタッチ駆動動作を実行する。このとき、１映像表示期間内の表示ライン数（束ね表示ライン数）、水平同期信号ＴＳＨＤ及び垂直同期信号ＴＳＶＤの出力タイミング、転送スタートパルスＳＤＳＴ及び転送クロックＳＤＣＫ１の出力タイミングなどを可変とする。具体的には、ディスプレイドライバＤＤＩ内に、上述の束ね表示ライン数、それぞれの駆動信号（パルス）の出力タイミングなどを規定した定数テーブルを複数種類保存する。そして、タッチドライバＴＰＩＣが定数テーブルを指定し、ディスプレイドライバＤＤＩが指定された定数テーブルに規定されたデータに従ってタッチ駆動信号を出力する。
【００５８】
なお、図６に示すディスプレイドライバＤＤＩ、タッチ駆動回路２０、共通電極ＣＯＭＥ及び検知電極ＤＥＴＥがタッチ駆動装置を構成する。またタッチ駆動装置とタッチドライバＴＰＩＣとがタッチ検出装置を構成する。更に、タッチ検出装置と表示パネルＰＮＬとがタッチ検出機能付き表示装置ＤＳＰを構成する。
【００５９】
図７は、第１の実施の形態のタッチ検出機能付き表示装置ＤＳＰのディスプレイドライバＤＤＩの構成を示すブロック図である。ディスプレイドライバＤＤＩは、タイミングコントローラ３１、レベルシフタ３２、アナログフロントエンド３３、及び制御部３４を備えている。
【００６０】
タッチドライバＴＰＩＣは定数テーブルを指定する定数テーブル選択信号をディスプレイドライバＤＤＩに出力する。この定数テーブル選択信号は、タッチドライバＴＰＩＣが動作中において動的にタッチ駆動動作を切り替える際に出力される。制御部３４は、指定された定数テーブルに記載されたデータを内部のレジスタに設定する。タイミングコントローラ３１は、レジスタに設定された値に従って駆動信号を出力する。
【００６１】
即ち、タイミングコントローラ３１は、タッチドライバＴＰＩＣに水平同期信号ＴＳＨＤ及び垂直同期信号ＴＳＶＤを出力する。タイミングコントローラ３１は、レベルシフタ３２を介して転送スタートパルスＳＤＳＴ及び転送クロックＳＤＣＫ１をパネルＰＮＬに出力する。また、タイミングコントローラ３１は、表示タイミングを制御する信号を出力する。アナログフロントエンド３３は、この制御信号に従って映像信号をパネルＰＮＬに出力する。
【００６２】
続いて、タッチ駆動信号を設定するタイミング例について説明する。  
図８は、第１の実施の形態のタッチ検出機能付き表示装置ＤＳＰの表示束ねライン数を指定した際の表示動作及びタッチ駆動動作の駆動方法を説明するための図である。図８（１）は、表示束ねライン数を指定した際の表示動作及びタッチ駆動動作の駆動期間を示し、図８（２）は、その具体例を示す図である。
【００６３】
図８（１）において、表示用の垂直駆動信号ＶＤが入力されると、バックポーチＢＰの所定ライン数が駆動される。その後、表示動作とタッチ駆動動作が実行されるが、ここで、表示束ねライン数（LINE_NUMBER_OF_UNIT）を表すレジスタに値＝Ｎが指定されていたときは、Ｎライン表示動作が実行された後、Ｎ表示ラインについてタッチ駆動が実行される。そしてこの一連の動作が繰り返して実行される。この動作は最大表示ライン数に達した時点で終了する。従って、最後のユニットには余り（ｍｏｄＮに対する剰余）の表示ライン数が設定されるため、最後のユニットの表示ライン数はＮ以下となる。そしてフロントポーチＦＰの所定表示ライン数が駆動された後、新たな垂直駆動信号ＶＤの入力に同期して上述の動作が繰り返して実行される。
【００６４】
図８（２）では、表示束ねライン数（LINE_NUMBER_OF_UNIT）に４５が設定された場合のユニットの構成を示している。この例では、フォロントポーチは４表示ラインで構成され、バックポーチは２表示ラインで構成され、表示束ねライン数は４５が設定されているため、有効なアクティブ表示ライン数はユニット０〜ユニット４１までの１９２０表示ラインとなり、ユニット０〜ユニット４１までは４５表示ラインで構成され、ユニット４２は端数として３０（＝１９２０−４５×４２）表示ラインで構成される。このユニット４２をダミー（Dummy）ユニットと呼ぶ。なお、フロントポーチＦＰとバックポーチＢＰの表示ライン数はパネルの仕様で決められている。
【００６５】
図８に示す例では、表示動作で駆動するライン数とタッチ駆動動作で駆動するライン数とは等しい。従って、表示動作とタッチ駆動動作において、駆動ライン数を共通して管理することができる。
【００６６】
図９は、第１の実施の形態のタッチ検出機能付き表示装置ＤＳＰのディスプレイドライバＤＤＩの駆動信号の出力タイミング例を示す図である。図９において各ユニットＵｎｉｔ、フロントポーチＦＰおよびバックポーチＢＰは図８と同様である。図９（１）は、タッチ駆動回路２０のシフトレジスタ回路２１を駆動する信号を示し、図９（２）は、タッチドライバＴＰＩＣに出力する同期信号を示している。なお、図９では、ユニット０〜ユニット（ｎ＋３）が規定されている。ユニット（ｎ＋３）はダミーユニットである。
【００６７】
図９（１）では、転送スタートパルスＳＤＳＴと転送クロックＳＤＣＫ１のタイミングを示している。なお、転送クロックは１つに限定されず複数のクロック信号で構成されてもよい。転送スタートパルスＳＤＳＴは、１フレームの開始時に出力される信号で、Ｈ時に選択するセンサ用駆動電極（共通電極ＣＯＭＥ）の本数と選択場所が設定され、Ｌ時に選択される場所が設定される。例えば、転送スタートパルスＳＤＳＴがＨ時には転送クロックＳＤＣＫ１の変化数分と等しい数のセンサ用駆動電極（共通電極ＣＯＭＥ）数が選択され、転送クロックＳＤＣＫ１の変化数分だけ以前選択されたセンサ用駆動電極よりも先のセンサ用駆動電極（共通電極ＣＯＭＥ）が選択される。一方、転送スタートパルスＳＤＳＴがＬの時には選択されたセンサ用駆動電極（共通電極ＣＯＭＥ）数は前の状態を維持し、転送クロックＳＤＣＫ１の変化数分だけ以前選択されたセンサ用駆動電極よりも先のセンサ用駆動電極（共通電極ＣＯＭＥ）が選択される。但し、転送スタートパルスＳＤＳＴは１フレーム中で複数回発生させることも可能である。転送スタートパルスＳＤＳＴの立ち上がりタイミング及び立下りタイミングは、それぞれ立ち上がり（SDST1_V_RISE）及び立下り（SDST1_V_FALL）を表すレジスタにユニット番号を設定することで規定される。図９（１）に示す例では、立ち上がりがユニット０、立下りがユニット１であることが設定されているため、立ち上がりと立下りの合計数の分のセンサ用駆動電極（共通電極ＣＯＭＥ）数が選択され、立ち上がりと立下りの合計数の分だけ以前選択されたセンサ用駆動電極よりも先のセンサ用駆動電極（共通電極ＣＯＭＥ）が選択される。尚、前記例では立ち上がりと立下りの両方を設定するようにしたが、立ち上がり、あるいは立下りのみが設定されるようにしてもよい。
【００６８】
転送クロックＳＤＣＫ１は、１フレーム開始に対応して生成されるパルス列である。従って、立ち上がりユニット及び立下りユニットを指定しなくとも良い。
【００６９】
図１０は、第１の実施の形態のタッチ検出機能付き表示装置ＤＳＰのディスプレイドライバＤＤＩの駆動信号の詳細の出力タイミング例を示す図である。図１０（１）は、タッチ駆動回路２０のシフトレジスタ回路２１を駆動する信号を示し、図１０（２）は、タッチドライバＴＰＩＣに出力する同期信号を示している。
【００７０】
図１０（１）では、転送スタートパルスＳＤＳＴの立ち上がりがユニットｎ、立下りがユニットｎ＋１である。そして、立ち上がりのタイミングは、ユニットｎの開始からレジスタ（SDST_RISE_SHIFT）に設定された時間が経過したときである。また立ち下がりのタイミングは、ユニット（ｎ＋１）の開始からレジスタ（SDST_FALL_SHIFT）に設定された時間が経過したときに立ち下がる。  
また転送クロックＳＤＣＫ１は、立下りユニットの開始から（SDCK_SHIFT）に設定された時間が経過したときである。
【００７１】
ここで、ユニットｎにおいて、映像表示期間中に転送スタートパルスＳＤＳＴが立ち上がりＨの期間中に転送クロックＳＤＣＫ１は１回だけ変化（立ち上がり）しているため選択するセンサ用駆動電極（共通電極ＣＯＭＥ）数は１本で１つ先のセンサ用駆動電極（共通電極ＣＯＭＥ）数が選択されることになる。
【００７２】
次に、ユニットｎ＋１の映像表示期間において転送スタートパルスＳＤＳＴが立下りＬの期間中に転送クロックＳＤＣＫ１は１回だけ変化（立ち下がり）しているためセンサ用駆動電極（共通電極ＣＯＭＥ）の選択数は前の状態の１本を維持し、１つ先のセンサ用駆動電極（共通電極ＣＯＭＥ）を選択する。この選択されたセンサ用駆動電極（共通電極ＣＯＭＥ）は次のタッチ位置検出期間にタッチ検出動作としてセンサ用駆動電極（共通電極ＣＯＭＥ）が駆動されることになる。  
尚、転送クロックＳＤＣＫ１の立下りおよび立ち上がりのタイミングは各ユニットの開始からの時間としてレジスタ設定される。
【００７３】
図９（２）の垂直同期信号ＴＳＶＤは１フレームの開始時に出力される信号である。但し、１フレーム中で複数回発生させる場合もある。垂直同期信号ＴＳＶＤの立ち上がりタイミング及び立下りタイミングは、それぞれ立ち上がり（TSVD1_V_RISE）及び立下り（TSVD1_V_FALL）を表すレジスタにユニット番号を設定することで規定される。図９（２）に示す例では、立ち上がりがユニット０、立下りもユニット０であることが設定されている。なお、２回発生させる場合は、例えば立ち上がり（TSVD2_V_RISE）を表す別のレジスタにユニット番号ｎを設定すれば良い。
【００７４】
水平同期信号ＴＳＨＤは、それぞれのユニット内でタッチ駆動動作期間であることを表す信号である。従って、立ち上がりユニット及び立下りユニットを指定しなくとも良い。なお、水平同期信号ＴＳＨＤの発生をユニット（ｎ＋１）までとしたい場合は、有効ユニット番号（VALID_UNIT_NUM）を表すレジスタにユニット番号（ｎ＋１）を設定すれば良い。これによってそれ以降のユニットに水平同期信号ＴＳＨＤを発生させないことができる。
【００７５】
図１０（２）では、垂直同期信号ＴＳＶＤの立ち上がりがユニットｎ、立下りがユニット（ｎ＋１）である。そして、立ち上がりのタイミングは、ユニットｎの開始からレジスタ（TSVD_RISE_SHIFT）に設定された時間が経過したときである。また立ち下がりのタイミングは、ユニット（ｎ＋１）の開始からレジスタ（TSVD_FALL_SHIFT）に設定された時間が経過したときである。
【００７６】
また水平同期信号ＴＳＨＤの立ち上がりタイミングは、タッチ駆動動作の開始からレジスタ（TSHD_SHIFT）に設定された時間が経過したときである。水平同期信号ＴＳＨＤのパルス巾は、レジスタ（TSHD_WIDTH）に設定された時間である。
前記水平同期信号ＴＳＨＤの立ち上がりタイミングおよび立下りタイミングにより設定されたＨの期間に、映像表示期間中に選択されたセンサ用駆動電極（共通電極ＣＯＭＥ）の本数と場所の情報に基づいて選択されたセンサ用駆動電極（共通電極ＣＯＭＥ）が駆動される。
【００７７】
以上基本動作を実現する駆動信号の動作について説明したが、上述のレジスタの値とタイミングを適宜組み合わせることによって種々のタッチ駆動動作を実現することができる。
具体的には、転送スタートパルスＳＤＳＴ、転送クロックＳＤＣＫ１、垂直同期信号ＴＳＶＤ、水平同期信号ＴＳＨＤの立ち上がり、立下りの場所、タイミングを適宜設定することにより、駆動するセンサ用駆動電極（共通電極ＣＯＭＥ）の本数および場所を自由に設定することが可能となる。また、この設定のバリエーションを複数作成し、各々複数のテーブルに格納し、所望のテーブルを選択することで駆動するセンサ用駆動電極（共通電極ＣＯＭＥ）の数および場所を自由に設定できるようにしてもよい。
【００７８】
図１１は、第１の実施の形態のタッチ検出機能付き表示装置ＤＳＰのタッチ駆動動作のバリエーションの一例を説明するための図である。図１１に示すタイムチャートでは、１タッチ位置検出期間においてシフトレジスタを２段シフト駆動して、タッチ駆動を２回実行する動作を表している。この動作を規定するため、例えば、トグル数（SDCK_TGL_NUM）を表すレジスタに値＝１を設定し、イネーブル（TSHD2_ENB）を表すレジスタに値＝１を設定する。
【００７９】
具体的な動作として、ユニットｎの映像期間中で転送スタートパルスＳＤＳＴがＨの期間に転送クロックＳＤＣＫ１が１回変化しているためセンサ用駆動電極（共通電極ＣＯＭＥ）数１本が１つ先のセンサ用駆動電極（共通電極ＣＯＭＥ）として選択され、タッチ位置検出期間の水平同期信号ＴＳＨＤがＨになったときセンサ用駆動電極（共通電極ＣＯＭＥ）が駆動され、その後、水平同期信号ＴＳＨＤがＬになり、転送クロックＳＤＣＫ１がＬに１回変化したときに１つ先のセンサ用駆動電極（共通電極ＣＯＭＥ）が選択され、次に、水平同期信号ＴＳＨＤがＨになった時に選択された１つ先のセンサ用駆動電極（共通電極ＣＯＭＥ）を駆動する。
【００８０】
図１１において、転送スタートパルスＳＤＳＴは、ユニット（０）の開始からレジスタ（SDST_RISE_SHIFT）に設定された時間が経過したときに立ち上がり、ユニット（０）の開始からレジスタ（SDST_FALL_SHIFT）に設定された時間が経過したときに立ち下がる。
【００８１】
映像表示期間中は水平同期信号ＴＳＨＤはローレベル（Ｌ）であり、選択信号ＶＣＯＭＳＥＬ（ＥＸＶＣＯＭＳＥＬの反転信号）もローレベル（Ｌ）であるため共通電極ＣＯＭＥにはタッチ駆動信号は付与されず表示への影響はない。
【００８２】
タッチ位置検出期間の開始からレジスタ（VCOMSEL_SHIFT）に設定された時間が経過したときに選択信号ＶＣＯＭＳＥＬは立ち上がり、さらにレジスタ（VCOMSEL_WIDTH）に設定された時間が経過したときに選択信号ＶＣＯＭＳＥＬは立ち下がる。この選択信号ＶＣＯＭＳＥＬが立ち上がったＨの期間中は、選択された共通電極ＣＯＭＥに駆動パルスＴＳＶＣＯＭが供給されるように回路が切り替えられる。
【００８３】
タッチ位置検出期間の開始からレジスタ（TSHD_SHIFT）に設定された時間が経過したときに水平同期信号ＴＳＨＤは立ち上がり、さらにレジスタ（TSHD_WIDTH）に設定された時間が経過したときに水平同期信号ＴＳＨＤは立ち下がる。この水平同期信号ＴＳＨＤの立ち上げに対応してタッチドライバＴＰＩＣから駆動同期信号ＥＸＶＣＯＭが出力され、選択された共通電極ＣＯＭＥに駆動パルスＴＳＶＣＯＭが供給される。これによって最初のタッチ駆動が実行される。
【００８４】
一方、転送クロックＳＤＣＫ１は、タッチ位置検出期間の開始からレジスタ（SDCK_SHIFT_TSHD2）に設定された時間が経過したときに立下る。この動作によって転送スタートパルスＳＤＳＴは、次段のシフトレジスタに送られ、次段のシフトレジスタの出力が「１」となる。
【００８５】
水平同期信号ＴＳＨＤの最初の立ち下がりからレジスタ（TSHD_GAP）に設定された時間が経過したときに再び水平同期信号ＴＳＨＤは立ち上がり、さらにレジスタ（TSHD_WIDTH）に設定された時間が経過したときに水平同期信号ＴＳＨＤは立ち下がる。この水平同期信号ＴＳＨＤの再度の立ち上げに対応してタッチドライバＴＰＩＣから駆動同期信号ＥＸＶＣＯＭが出力され、選択された次段の共通電極ＣＯＭＥに駆動パルスＴＳＶＣＯＭが供給される。これによって次段のタッチ駆動が実行される。
【００８６】
上述の駆動方法によれば、１タッチ位置検出期間において２回のタッチ駆動が行われる。なお、図１１の説明ではユニット０について説明したが、任意のユニットｎにおいても同様の動作を実現することができる。
【００８７】
図１２は、第１の実施の形態のタッチ検出機能付き表示装置ＤＳＰのタッチ駆動動作のバリエーションの一例を説明するための図である。図１２に示すタイムチャートでは、映像表示期間において４本のセンサ用駆動電極（共通電極ＣＯＭＥ）を選択し、シフトレジスタを４段シフト駆動して、タッチ駆動を実行する。ここで複数本のセンサ用駆動電極（共通電極ＣＯＭＥ）を選択するために対応する数のシフトレジスタを選択して駆動する方法を用いることができる。この動作を指定するため、例えば、トグル数（SDCK_TGL_NUM）を表すレジスタに値＝４を設定し、イネーブル（TSHD2_ENB）を表すレジスタに値＝０を設定する。また、転送クロックＳＤＣＫ１の立ち上がりおよび立下りのタイミングは各々レジスタ設定により設定される。
【００８８】
レジスタ（SDCK_NOP）に設定された時間が経過したとき転送クロックＳＤＣＫ１が立ち上がる。この動作によって転送スタートパルスＳＤＳＴは、次段のシフトレジスタに送られ、次段のシフトレジスタの出力が「１」となる。また、レジスタ（SDCK_DELAY）に設定された時間が経過したときに転送クロックＳＤＣＫ１が立ち下がる。この動作によって転送スタートパルスＳＤＳＴは、次段のシフトレジスタに送られ、次段のシフトレジスタの出力が「１」となる。同様にして、合計４回のシフト動作が行われるため映像表示期間において、４段のシフトレジスタがスキップされる。このときは、転送スタートパルスＳＤＳＴはＨレベルなので４つ先の４本のセンサ用駆動電極（共通電極ＣＯＭＥ）が選択される。なお、映像表示期間中は水平同期信号ＴＳＨＤはローレベル（Ｌ）であり、選択信号ＶＣＯＭＳＥＬ（ＥＸＶＣＯＭＳＥＬの反転信号）もローレベル（Ｌ）であるため共通電極ＣＯＭＥにはタッチ駆動信号は付与されず表示への影響はない。
【００８９】
タッチ位置検出期間の開始からレジスタ（VCOMSEL_SHIFT）に設定された時間が経過したときに選択信号ＶＣＯＭＳＥＬは立ち上がり、さらにレジスタ（VCOMSEL_WIDTH）に設定された時間が経過したときに選択信号ＶＣＯＭＳＥＬは立ち下がる。この選択信号ＶＣＯＭＳＥＬが立ち上がったＨの期間中は、選択された共通電極ＣＯＭＥに駆動パルスＴＳＶＣＯＭが供給されるように回路が切り替えられる。
【００９０】
タッチ位置検出期間の開始からレジスタ（TSHD_SHIFT）に設定された時間が経過したときに水平同期信号ＴＳＨＤは立ち上がり、さらにレジスタ（TSHD_WIDTH）に設定された時間が経過したときに水平同期信号ＴＳＨＤは立ち下がる。この水平同期信号ＴＳＨＤの立ち上げに対応してタッチドライバＴＰＩＣから駆動同期信号ＥＸＶＣＯＭが出力され、選択された共通電極ＣＯＭＥに駆動パルスＴＳＶＣＯＭが供給される。上述の駆動方法によれば、映像表示期間においてシフトレジスタが４段スキップされるため、このシフトレジスタに対応する共通電極ＣＯＭＥについてタッチ駆動がスキップされる。
【００９１】
図１３は、第１の実施の形態のタッチ検出機能付き表示装置ＤＳＰのタッチ駆動動作のバリエーションの一例を説明するための図である。図１３に示すタイムチャートでは、シフトレジスタを３段束ねて駆動してタッチ駆動を実行する。結果、連続する３段のシフトレジスタに対応する束ねた共通電極ＣＯＭＥについてタッチ駆動が実行される。図１４は、図１３に示すタッチ駆動動作を例示する図である。図１４に示すように、それぞれのユニットにおいては、○印の付された共通電極ＣＯＭＥにタッチ駆動信号が与えられる。
【００９２】
上述の動作を指定するため、例えば、トグル数（SDCK_TGL_NUM）を表すレジスタに値＝１を設定し、イネーブル（TSHD2_ENB）を表すレジスタに値＝０を設定する。そして、指定ユニット（SDCK_ADD_V1）を表すレジスタに値＝０を設定し、ＳＤＣＫの追加を認める（SDCK_ADD_ENB）ことを表すレジスタに値＝１を設定し、ＳＤＣＫの追加数（SDCK_ADD_NUM）を表すレジスタに値＝２を設定する。
【００９３】
図１３において、転送スタートパルスＳＤＳＴは、ユニット０の開始からレジスタ（SDST_RISE_SHIFT）に設定された時間が経過したときに立ち上がり、ユニット１の開始からレジスタ（SDST_FALL_SHIFT）に設定された時間が経過したときに立ち下がる。このため転送スタートパルスは、ユニット０の映像表示期間中はＯＮの状態である。
【００９４】
レジスタ（SDCK_NOP）に設定された時間が経過したとき転送クロックＳＤＣＫ１が立ち上がる。この動作によって転送スタートパルスＳＤＳＴは、初段のシフトレジスタに送られ、初段のシフトレジスタの出力が「１」となる。
【００９５】
この後、追加の転送クロック動作が２回連続して行われる。即ち、レジスタ（SDCK_DELAY）に設定された時間が経過したときに転送クロックＳＤＣＫ１が立ち下がる。続いて、レジスタ（SDCK_NOP）に設定された時間が経過したとき転送クロックＳＤＣＫ１が立ち上がる。
【００９６】
この追加の２回の転送クロック動作によって転送スタートパルスＳＤＳＴは、第２段と第３段のシフトレジスタに送られ、この２つのシフトレジスタの出力が「１」となる。従って、ユニット０の映像表示期間において、３つのシフトレジスタの出力が「１」となる。すなわち、第一段から第三段のシフトレジスタに接続する３本のセンサ用駆動電極（共通電極ＣＯＭＥ）を選択される。ユニット０のタッチ位置検出期間においては、この３つのシフトレジスタに対応する共通電極ＣＯＭＥに駆動パルスＴＳＶＣＯＭが供給されてタッチ駆動が実行される。
【００９７】
転送スタートパルスＳＤＳＴは、続くユニット１の映像表示期間の開始からレジスタ（SDST_FALL_SHIFT）に設定された時間が経過したときに立ち下がり、ＯＦＦレベルとなる。その後、転送クロックＳＤＣＫ１は、ユニット１の開始からレジスタ（SDCK_SHIFT）に設定された時間が経過したときに立下る。この動作によってＯＦＦレベルの転送スタートパルスＳＤＳＴが、初段のシフトレジスタに送られ、初段のシフトレジスタの出力が「０」となる。しかし、連続する３つのシフトレジスタの値は「１」である。そしてＯＦＦレベルの転送スタートパルスＳＤＳＴが順次連続するシフトレジスタに送られる。そして、ＯＦＦレベルの転送スタートパルスＳＤＳＴを送られると、そのシフトレジスタの出力は「０」となり、それ以外のシフトレジスタ（ＯＦＦレベルの転送スタートパルスＳＤＳＴを送られなかったシフトレジスタ）の出力は「１」である。
【００９８】
上述の駆動方法によれば、連続する３段のシフトレジスタに対応する共通電極ＣＯＭＥについてタッチ駆動動作が実行される。
【００９９】
[第２の実施の形態]  
第２の実施の形態では、表示動作とタッチ駆動動作とはそれぞれ独立に駆動制御される。従って、表示動作で駆動するラインの位置とタッチ駆動動作で駆動するラインの位置は必ずしも同じである必要がない。第１の実施形態と同一の部位には同一の符号を付してその詳細の説明は省略する。
【０１００】
ディスプレイドライバＤＤＩは、レジスタ（V_SYNC_MODE）に値＝１が設定されているときは、表示動作とは独立のタッチ駆動動作（第２の実施の形態）を実行し、レジスタ（V_SYNC_MODE）に値＝０が設定されているときは、表示動作と同期したタッチ駆動動作（第１の実施の形態）を実行する。
【０１０１】
図１５は、第２の実施の形態のタッチ検出機能付き表示装置ＤＳＰの表示動作及びタッチ駆動動作の駆動方法を説明するための図である。
【０１０２】
図１５では、表示束ねライン数（LINE_NUMBER_OF_UNIT）に４５が設定された場合のユニットの構成を示している。この図１５に示すユニットの構成は、図８（２）で説明したユニットの構成と同じである。但し、第２の実施の形態では、ディスプレイドライバＤＤＩは、タッチ駆動動作を制御するための独自の制御変数LOOP_CNTを変数パラメータとして用いる。
【０１０３】
有効なアクティブライン数＝１９２０ラインであるため、４５ライン毎にユニットが定義されている。ユニット０〜ユニット４１までは４５ラインで構成され、ユニット４２は３０（＝１９２０−４５×４２）ラインで構成される。ユニット４２はダミーユニットである。
【０１０４】
図１５に示す例では、タッチ最大ユニット数（LOOP_MAX_NUM）は２９と設定されている。このため、制御変数LOOP_CNTは、ユニット０〜ユニット２９までは、０から２９までインクリメントされる。しかし、ユニット３０では制御変数LOOP_CNTは０となり、改めて０からインクリメントされる。但し、ユニット４１で制御変数LOOP_CNTは１１となった後のユニットではインクリメントは行わない。これは有効ユニット番号（VALID_UNIT_NUM）が４１と設定されているからである。そして、垂直同期信号ＶＤが入力された後の最初のユニット０からインクリメントを再開する。即ち、ユニット０の制御変数LOOP_CNTを１２とする。
【０１０５】
第１の実施の形態では、ＴＳＶＤ、ＳＤＳＴなどのタイミングはユニット番号で指定されていた。しかし、第２の実施の形態では、ＴＳＶＤ、ＳＤＳＴなどのタイミングは制御変数LOOP_CNTの値で規定される。
【０１０６】
以上説明した、第１及び第２の実施形態のそれぞれの駆動方法、またそれぞれの駆動方法を組み合わせた駆動方法によって種々のタッチ駆動を実現することができる。図７に示すように、ディスプレイドライバＤＤＩは駆動信号のタイミングなどを規定した定数テーブルを複数種類保有している。そして、タッチドライバＴＰＩＣが上述の定数テーブルを指定する定数テーブル選択信号をディスプレイドライバＤＤＩの制御部３４に出力する。制御部３４は定数テーブルに記載されたデータを内部のレジスタに設定する。タイミングコントローラ３１はレジスタに設定された値に従って駆動信号を出力する。このようにして、種々のタッチ駆動を実現することができる。
【０１０７】
具体的には、１映像表示期間中の表示ライン数（束ね表示ライン数）、及びタッチ駆動信号のタイミング（転送スタートパルスＳＤＳＴ、転送クロックＳＤＣＫ、水平同期信号ＴＳＨＤ及び垂直同期信号ＴＳＶＤの出力タイミング）を定数テーブルに保存しレジスタを介してデータを授受するように構成することで、タッチ駆動方法を柔軟に動的に変更することが可能となる。
【０１０８】
例えば、動作中にタッチドライバＴＰＩＣが、接触位置の検知精度を高める必要があると判断したときは、束ね表示ライン数の少ない定数テーブルを選択することでセンサの解像度を高めることができる。また、図１３に示すような表示動作とタッチ駆動動作とをそれぞれ独立して駆動する制御方法を採用することでセンサの解像度とＳＮ比を高めることができる。
【０１０９】
従って、ディスプレイドライバを複数のディスプレイパネルに対して適用しようとした場合、表示動作とタッチ駆動動作を最適化するため実装するパターンを変更する必要がなくなり、種々の表示仕様に柔軟に対応して所望のタッチ駆動動作を実現することができるタッチ検出機能付き表示装置及びその駆動方法を提供することができる。
【０１１０】
[第３の実施の形態]  
第３の実施の形態では、タッチ検出機能付き表示装置ＤＳＰの駆動方法を実現するための駆動回路の構成例について説明する。第１の実施の形態と同一の部位には同一の符号を付してその詳細の説明は省略する。
【０１１１】
図１６は、第３の実施の形態のタッチ検出機能付き表示装置ＤＳＰのタッチ駆動回路２０のシフトレジスタ回路２１の詳細の構成を示す図である。
【０１１２】
シフトレジスタ回路２１を構成するそれぞれのシフトレジスタＳＲ１、ＳＲ２、ＳＲ３、・・・には、後述する切替信号ＳＤＯＤＤが入力している。それぞれのシフトレジスタＳＲ１、ＳＲ２、ＳＲ３、・・・の出力信号ＯＵＴ１、ＯＵＴ２、ＯＵＴ３、・・・は、ＡＮＤ回路２２−１、２２−２、２２−３、・・・の一方の端子に入力されている。ＡＮＤ回路２２−１、２２−２、２２−３、・・・の他方の端子には水平同期信号ＴＳＨＤが入力され、入力される両信号の論理積が駆動電極（共通電極ＣＯＭＥ）を選択するためのタッチ検出用ＶＣＯＭ駆動信号として出力されている。なお、第１の実施の形態では、図６に示すように、ＡＮＤ回路２２の他方の端子にはタッチ位置検出期間において「１」となる駆動同期選択信号ＥＸＶＣＯＭＳＥＬが入力されていた。第３の実施の形態で用いられる水平同期信号ＴＳＨＤは、タッチ位置検出期間であることを識別する信号であるため、第３の実施の形態においても同様の作用を奏することができる。従って、第３の実施の形態においても、駆動同期選択信号ＥＸＶＣＯＭＳＥＬを用いて構成しても良い。
【０１１３】
第１のシフトレジスタＳＲ１には、更に転送スタートパルスＳＤＳＴ、転送クロックＳＤＣＫ１が入力され、内部の回路で生成されたレジスタ出力信号Ｓｒｏｕｔ１が第２のシフトレジスタＳＲ２に出力されている。第２のシフトレジスタＳＲ２は、入力されたレジスタ出力信号Ｓｒｏｕｔ１、転送クロックＳＤＣＫ１を用いてレジスタ出力信号Ｓｒｏｕｔ２を生成して第３のシフトレジスタＳＲ３に出力する。以降、同様にして、残りの各段において、生成されたレジスタ出力信号Ｓｒｏｕｔが次段のシフトレジスタＳＲに出力される。
【０１１４】
続いて、シフトレジスタの構成と動作を第１のシフトレジスタＳＲ１とそれに接続する回路を例として説明する。
【０１１５】
転送クロックＳＤＣＫ１はインバータ１ａに入力され、インバータ１ａで反転された信号がＮＡＮＤ回路１ｆの一方の端子に入力される。ＮＡＮＤ回路１ｆの他方の端子には切替信号ＳＤＯＤＤが入力される。ＮＡＮＤ回路１ｆの出力は、ＡＮＤ回路１ｇの一方の端子に入力される。
【０１１６】
転送スタートパルスＳＤＳＴは、インバータ１ｂの第１入力端子１ｂ＿ｉｎ１に入力される。インバータ１ｂには、更に転送クロックＳＤＣＫ１が第２入力端子１ｂ＿ｉｎ２に入力され、転送クロックｘＳＤＣＫ１が第３入力端子１ｂ＿ｉｎ３に入力される。ここで第２入力端子１ｂ＿ｉｎ２に立ち上がりエッジが入力され、かつ第３入力端子１ｂ＿ｉｎ３に立下りエッジのロジック信号が入力されたときインバータ１ｂは第１入力端子１ｂ＿ｉｎ１のロジック信号を反転して出力される。転送クロックｘＳＤＣＫ１は転送クロックＳＤＣＫ１の逆相信号である。即ち、転送クロックｘＳＤＣＫ１と転送クロックＳＤＣＫ１とは互いの信号の電位が逆となったクロック信号である。インバータ１ｂに入力される２つの転送クロックＳＤＣＫ１、ｘＳＤＣＫ１のうち一方の転送クロック（ここでは、ｘＳＤＣＫ１）は、反転されてインバータ１ｂに入力される。インバータ１ｂは、２つの転送クロックＳＤＣＫ１、ｘＳＤＣＫ１の信号がともに「１」のときに、入力された転送スタートパルスＳＤＳＴを反転して（インバートして）出力する。
【０１１７】
インバータ１ｂの出力はインバータ１ｃに入力され、インバータ１ｃの出力はインバータ１ｄを介してインバータ１ｃの入力側にフィードバックされ、ラッチ回路が構成されている。
【０１１８】
なお、インバータ１ｂとインバータ１ｃの中間点であるノード１ｈは、Ｐｃｈ−ＦＥＴを介して基準電位と接続されている。従って、リセット信号ｒｓｔｂによって、ノード１ｈを基準電位にリセットすることができる。
【０１１９】
インバータ１ｃの出力は、レジスタ出力信号Ｓｒｏｕｔ１として、第２のシフトレジスタＳＲ２に出力されるとともに、ＡＮＤ回路１ｇの他方の端子に入力される。そして、ＡＮＤ回路１ｇの出力信号ＯＵＴ１が、上述のようにＡＮＤ回路２２−１の一方の端子に入力されている。
【０１２０】
図１７は、第３の実施の形態のタッチ検出機能付き表示装置ＤＳＰのタッチ駆動回路２０のシフトレジスタ回路２１の動作を説明するための図である。なお、図１７では、切替信号ＳＤＯＤＤがＬレベル（ローレベル：「０」）のときのタイミングを表している。図１７に示すそれぞれのタイミングにおけるシフトレジスタ回路２１の動作について、図１６を参照しつつ説明する。
【０１２１】
図１６において、切替信号ＳＤＯＤＤがＬレベルのときは、それぞれのシフトレジスタＳＲ１、ＳＲ２、ＳＲ３、・・・のＮＡＮＤ回路１ｆ、２ｆ、３ｆ、・・・の他方の端子には「０」が入力されるため、ＮＡＮＤ回路１ｆ、２ｆ、３ｆ、・・・の出力は「１」となる。従って、ＡＮＤ回路１ｇ、２ｇ、３ｇ、・・・の一方の入力端子には常に「１」が入力され、ＡＮＤ回路１ｇ、２ｇ、３ｇ、・・・の出力信号ＯＵＴ１、ＯＵＴ２、ＯＵＴ３、・・・は、レジスタ出力信号Ｓｒｏｕｔ１、Ｓｒｏｕｔ２、Ｓｒｏｕｔ３、・・・と同じ信号になる。
【０１２２】
初期状態として、リセット信号ｒｓｔｂが入力されてそれぞれのシフトレジスタＳＲ１、ＳＲ２、ＳＲ３、・・・のノード１ｈ、２ｈ、３ｈ、・・・は基準電位にリセットされている。図１７のタイミングＡにおいて、転送スタートパルスＳＤＳＴがＨレベル（ハイレベル：「１」）となる。しかしこのタイミングＡでは、転送クロックＳＤＣＫ１はＬレベルであるため、インバータ１ｂの出力は変化しない。図１７のタイミングＢにおいて、転送クロックＳＤＣＫ１がＨレベルになると、インバータ１ｂの出力は転送スタートパルスＳＤＳＴの反転信号レベルであるＬレベルとなり、インバータ１ｃによってレジスタ出力信号Ｓｒｏｕｔ１はＨレベルとなる。このＨレベルはインバータ１ｄによってＬレベルにインバートされてノード１ｈをＬレベルに保持する。即ち、Ｈレベルの状態は、ラッチ回路によって保持される。
【０１２３】
レジスタ出力信号Ｓｒｏｕｔ１は、ＡＮＤ回路１ｇを介してＡＮＤ回路２２−１の一方の端子に入力される。図１７のタイミングＣにおいて、水平同期信号ＴＳＨＤがＨレベルとなったとき、レジスタ出力信号Ｓｒｏｕｔ１はＨレベルで出力信号ＯＵＴ１もＨレベルであるため、ＡＮＤ回路２２−１の出力信号（タッチ検出用ＶＣＯＭ駆動信号）はＨレベルとなり、対応する共通電極ＣＯＭＥがタッチ駆動用に選択される。そして、タイミングＤにおいて、水平同期信号ＴＳＨＤがＬレベルとなったときに、共通電極ＣＯＭＥの選択が解除される。
【０１２４】
この間、レジスタ出力信号Ｓｒｏｕｔ１は、第２のシフトレジスタＳＲ２に出力されるが、転送クロックＳＤＣＫ１はＨレベルであるため、第２のシフトレジスタＳＲ２のインバータ２ｂの出力は変化しない。
【０１２５】
タイミングＥにおいて、転送スタートパルスＳＤＳＴがＬレベルとなる。しかし、このことによって、上述の各部位のレベルは変化しない。タイミングＦにおいて、転送クロックＳＤＣＫ１がＬレベルに変化する。この変化によっても、第１のシフトレジスタＳＲ１のインバータ１ｂは動作しないが、転送クロックＳＤＣＫ１がＬレベルになると、第２のシフトレジスタＳＲ２のインバータ２ｂは動作して、レジスタ出力信号Ｓｒｏｕｔ１のＨレベルを入力する。これによって、第２のシフトレジスタＳＲ２のレジスタ出力信号Ｓｒｏｕｔ２はＨレベルとなる。このＨレベルの状態は、第１のシフトレジスタＳＲ１と同様にラッチ回路によって保持される。
【０１２６】
この結果、タイミングＧにおいて、水平同期信号ＴＳＨＤがＨレベルになったときは、ＡＮＤ回路２２−１、２２−２の２つの出力信号（タッチ検出用ＶＣＯＭ駆動信号）はＨレベルとなり、対応する２つの共通電極ＣＯＭＥがタッチ駆動用に選択される。
【０１２７】
タイミングＨにおいて、転送クロックＳＤＣＫ１がＨレベルとなる。この結果、第１のシフトレジスタＳＲ１のインバータ１ｂは動作して、Ｌレベルの転送スタートパルスＳＤＳＴを取り込み、レジスタ出力信号Ｓｒｏｕｔ１はＬレベルとなる。一方、上述の第１のシフトレジスタＳＲ１のタイミングＢにおける動作と同様の動作によって、第３のシフトレジスタＳＲ３のレジスタ出力信号Ｓｒｏｕｔ３はＨレベルとなる。この結果、タイミングＩにおいて、水平同期信号ＴＳＨＤがＨレベルになったときは、ＡＮＤ回路２２−２、２２−３の２つの出力信号（タッチ検出用ＶＣＯＭ駆動信号）はＨレベルとなり、対応する２つの共通電極ＣＯＭＥがタッチ駆動用に選択される。
【０１２８】
タイミングＪにおいて、転送クロックＳＤＣＫ１がＬレベルに変化する。この結果、第２のシフトレジスタＳＲ２のインバータ２ｂは動作して、Ｌレベルのレジスタ出力信号Ｓｒｏｕｔ１を入力する。これによって、レジスタ出力信号Ｓｒｏｕｔ２はＬレベルとなる。一方、上述の動作と同様に、第４のシフトレジスタＳＲ４のインバータ４ｂは動作して、レジスタ出力信号Ｓｒｏｕｔ４はＨレベルとなる。このＨレベルの状態は、ラッチ回路によって保持される。
【０１２９】
以上、説明したように図１７に示すタイムチャートでは、連続する２つの共通電極ＣＯＭＥがタッチ駆動用に選択される。そして、選択される２つの共通電極ＣＯＭＥの位置は、転送クロックＳＤＣＫ１に同期して１つずつ進められる。
【０１３０】
図１８は、第３の実施の形態のタッチ検出機能付き表示装置ＤＳＰのタッチ駆動回路２０のシフトレジスタ回路２１の動作を説明するためのバリエーションの図である。なお、図１８では、切替信号ＳＤＯＤＤがＬレベルのときのタイミングを表している。図１８に示すそれぞれのタイミングにおけるシフトレジスタ回路２１の動作について、図１６を参照しつつ説明する。なお、図１７で説明した内容と重複する内容については、適宜その説明を省略する。
【０１３１】
図１８の映像表示期間において、転送スタートパルスＳＤＳＴがＨレベルであるときに、転送クロックＳＤＣＫ１がＨレベルに変化する。これによって、第１のシフトレジスタＳＲ１のレジスタ出力信号Ｓｒｏｕｔ１はＨレベルとなる。タイミングＬにおいて、水平同期信号ＴＳＨＤがＨレベルとなったときに、ＡＮＤ回路２２−１の出力信号（タッチ検出用ＶＣＯＭ駆動信号）はＨレベルとなり、対応する共通電極ＣＯＭＥがタッチ駆動用に選択される。
【０１３２】
タイミングＭにおいて、転送クロックＳＤＣＫ１がＬレベルに変化する。これによって、第２のシフトレジスタＳＲ２のレジスタ出力信号Ｓｒｏｕｔ２はＨレベルとなる。その結果、ＡＮＤ回路２２−２の出力信号（タッチ検出用ＶＣＯＭ駆動信号）はＨレベルとなり、対応する２つの共通電極ＣＯＭＥがタッチ駆動用に選択される。このように、転送クロックＳＤＫ１を変化させることによって選択される共通電極ＣＯＭＥを増加し、また変更することができる。
【０１３３】
転送クロックＳＤＫ１の変化と水平同期信号ＴＳＨＤの変化とを組み合わせた動作をユニットｎについて継続して適用することによって、タッチ位置検出期間の前半において複数の共通電極ＣＯＭＥを駆動し、タッチ位置検出期間の後半において１段シフトした複数の共通電極ＣＯＭＥを駆動する動作を実現することができる。
【０１３４】
図１９は、第３の実施の形態のタッチ検出機能付き表示装置ＤＳＰのタッチ駆動回路２０のシフトレジスタ回路２１の動作を説明するための他のバリエーションの図である。なお、図１９では、切替信号ＳＤＯＤＤがＬレベルのときのタイミングを表している。図１９に示すそれぞれのタイミングにおけるシフトレジスタ回路２１の動作について、図１６を参照しつつ説明する。なお、図１７で説明した内容と重複する内容については、適宜その説明を省略する。
【０１３５】
図１９では、映像表示期間において、転送スタートパルスＳＤＳＴがＨレベルであるときに、タイミングＰに示すように、転送クロックＳＤＣＫ１が４回変化している。より詳しく言えば、上述のシフトレジスタ回路２１の動作に従えば、タイミングＰ１では、ＡＮＤ回路２２−１の出力信号（タッチ検出用ＶＣＯＭ駆動信号）がＨレベルとなる。タイミングＰ２では、ＡＮＤ回路２２−２の出力信号が更にＨレベルとなる。タイミングＰ３では、ＡＮＤ回路２２−３の出力信号が更にＨレベルとなる。タイミングＰ４では、ＡＮＤ回路２２−４の出力信号が更にＨレベルとなる。この結果、連続した４つの共通電極ＣＯＭＥをタッチ駆動用として選択することができる。
【０１３６】
以上説明した、切替信号ＳＤＯＤＤがＬレベルのときの駆動動作では、転送スタートパルスＳＤＳＴがＨレベルである状態において転送クロックＳＤＣＫ１が変化した数Ｎ（１以上の整数）本の駆動電極（共通電極ＣＯＭＥ）が選択される。そして、転送スタートパルスＳＤＳＴがＬレベルである状態において転送クロックＳＤＣＫ１が変化する毎に位置が１つシフトされたＮ本の駆動電極が選択される。
【０１３７】
次に、切替信号ＳＤＯＤＤがＨレベルのときの駆動動作例を説明する。
【０１３８】
図２０は、第３の実施の形態のタッチ検出機能付き表示装置ＤＳＰのタッチ駆動回路２０のシフトレジスタ回路２１の動作を説明するための更に他のバリエーションの図である。なお、図２０では、切替信号ＳＤＯＤＤがＨレベルのときのタイミングを表している。図２０に示すそれぞれのタイミングにおけるシフトレジスタ回路２１の動作について、図１６を参照しつつ説明する。なお、上述の内容と重複する内容については、適宜その説明を省略する。
【０１３９】
図２０のタイミングＲにおいて、転送スタートパルスＳＤＳＴがＨレベルであるときに、転送クロックＳＤＣＫ１がＨレベルに変化する。このとき、図１６において、インバータ１ａの出力はＬレベルとなるため、ＮＡＮＤ回路１ｆの出力はＨレベルとなる。その結果、出力信号ＯＵＴ１はレジスタ出力信号Ｓｒｏｕｔ１と同じＨレベルとなる。
【０１４０】
図２０のタイミングＳにおいて、転送スタートパルスＳＤＳＴがＨレベルであるときに、転送クロックＳＤＣＫ１がＬレベルに変化する。このとき、図１６において、インバータ１ａの出力はＨレベルとなるため、ＮＡＮＤ回路１ｆの出力はＬレベルとなる。その結果、出力信号ＯＵＴ１はＬレベルとなる。一方、上述のようにレジスタ出力信号Ｓｒｏｕｔ１はＨレベルであるため、インバータ２ａの出力はＬレベルとなり、ＮＡＮＤ回路２ｆの出力はＨレベルとなる。その結果、出力信号ＯＵＴ２はレジスタ出力信号Ｓｒｏｕｔ２と同じＨレベルとなる。
【０１４１】
従って、タイミングＴにおいて、水平同期信号ＴＳＨＤがＨレベルになったときは、出力信号ＯＵＴ２に対応する１つの共通電極ＣＯＭＥがタッチ駆動用に選択される。
【０１４２】
図２１は、第３の実施の形態のタッチ検出機能付き表示装置ＤＳＰのタッチ駆動回路２０のシフトレジスタ回路２１の動作を説明するための別のバリエーションの図である。なお、図２１では、切替信号ＳＤＯＤＤがＨレベルのときのタイミングを表している。図２１に示すそれぞれのタイミングにおけるシフトレジスタ回路２１の動作について、図１６を参照しつつ説明する。なお、上述の内容と重複する内容については、適宜その説明を省略する。
【０１４３】
図２１では、転送スタートパルスＳＤＳＴがＨレベルであるときに、転送クロックＳＤＣＫ１がタイミングＶ１〜Ｖ４において４回レベルを変化している。タイミングＶ１、Ｖ２での動作は、図２０で説明した内容と同様であるのでその説明は省略する。タイミングＶ３では、転送クロックＳＤＣＫ１がＨレベルに変化するため、上述のように出力信号ＯＵＴ１はレジスタ出力信号Ｓｒｏｕｔ１と同じＨレベルとなる。レジスタ出力信号Ｓｒｏｕｔ１は、タイミングＶ１以降はＨレベルを継続するため、ＮＡＮＤ回路２ｆの出力はＨレベルとなる。その結果、出力信号ＯＵＴ２はレジスタ出力信号Ｓｒｏｕｔ２と同じＨレベルを継続する。
【０１４４】
タイミングＷにおいて、水平同期信号ＴＳＨＤがＨレベルになったときは、出力信号ＯＵＴ１〜ＯＵＴ３に対応する３つの共通電極ＣＯＭＥがタッチ駆動用に選択される。
【０１４５】
タイミングＶ４では、転送クロックＳＤＣＫ１がＬレベルに変化するため、上述のように出力信号ＯＵＴ１はＬレベルとなる。一方、上述のようにレジスタ出力信号Ｓｒｏｕｔ１〜Ｓｒｏｕｔ３はＨレベルであるため、インバータ４ａの出力はＬレベルとなり、ＮＡＮＤ回路４ｆの出力はＨレベルとなる。その結果、出力信号ＯＵＴ４はレジスタ出力信号Ｓｒｏｕｔ４と同じＨレベルとなる。
【０１４６】
続く期間において、転送スタートパルスＳＤＳＴがＬレベルとなり、タイミングＸにおいて、上述の転送クロックＳＤＣＫ１が変化した場合、レジスタ出力信号Ｓｒｏｕｔ１はＬレベルに変化し、出力信号ＯＵＴ１もＬレベルとなる。従って、タイミングＹにおいて、水平同期信号ＴＳＨＤがＨレベルになったときは、出力信号ＯＵＴ２〜ＯＵＴ４に対応する３つの共通電極ＣＯＭＥがタッチ駆動用に選択される。
【０１４７】
以降、転送クロックＳＤＣＫ１のレベルの変化に対応して、連続する３つの共通電極ＣＯＭＥがタッチ駆動用に選択されて１つずつシフトされる、「３束ね１ずらし駆動」が実行される。
【０１４８】
以上説明した、切替信号ＳＤＯＤＤがＨレベルのときの駆動動作では、転送スタートパルスＳＤＳＴがＨレベルである状態において転送クロックＳＤＣＫ１が変化した数Ｎ（１以上の整数）から１つ少ない（Ｎ−１）本の駆動電極（共通電極ＣＯＭＥ）が選択される。そして、転送スタートパルスＳＤＳＴがＬレベルである状態において転送クロックＳＤＣＫ１が変化する毎に位置が１つシフトされた（Ｎ−１）本の駆動電極が選択される。
【０１４９】
以上説明した第３の実施の形態に係るシフトレジスタ回路２１によれば、転送スタートパルスＳＤＳＴがＨレベルである状態において転送クロックＳＤＣＫ１が変化した数に対応した数Ｍ（１以上の整数）の駆動電極（共通電極ＣＯＭＥ）が選択される。そして、転送スタートパルスＳＤＳＴがＬレベルである状態において転送クロックＳＤＣＫ１が変化する毎に位置が１つシフトされたＭ本の駆動電極が選択される。
【０１５０】
また、第３の実施の形態に係るシフトレジスタ回路２１によれば、転送スタートパルスＳＤＳＴと転送クロックＳＤＣＫ１との出力タイミングを種々組み合わせることによって種々のタッチ駆動方式を実現することができる。
【０１５１】
[第４の実施の形態]  
第４の実施の形態では、タッチ検出機能付き表示装置ＤＳＰの駆動方法を実現するための駆動回路の構成が第３の実施の形態と異なっている。第３の実施の形態と同一の部位には同一の符号を付してその詳細の説明は省略する。
【０１５２】
図２２は、第４の実施の形態のタッチ検出機能付き表示装置ＤＳＰのタッチ駆動回路２０のシフトレジスタ回路２１の詳細の構成を示す図である。
【０１５３】
シフトレジスタ回路２１を構成するそれぞれのシフトレジスタＳＲ１、ＳＲ２、・・・の出力信号ＯＵＴ１、ＯＵＴ２、・・・は、ＡＮＤ回路２２−１、２２−２、・・・の一方の端子に入力されている。ＡＮＤ回路２２−１、２２−２、・・・の他方の端子には水平同期信号ＴＳＨＤが入力され、入力される両信号の論理積がタッチ検出用ＶＣＯＭ駆動信号として出力されている。また、シフトレジスタＳＲ１、ＳＲ２、・・・は、それぞれサブシフトレジスタＳＲａ、ＳＲｂを備えている。
【０１５４】
第１のシフトレジスタＳＲ１には、転送スタートパルスＳＤＳＴ、転送クロックＳＤＣＫ１が入力される。転送スタートパルスＳＤＳＴはレジスタ入力信号ｉｎａとして、サブシフトレジスタＳＲａに入力される。サブシフトレジスタＳＲａの内部の回路で生成された出力信号ＯＵＴ１が、レジスタ入力信号ｉｎｂとしてサブシフトレジスタＳＲｂに入力される。サブシフトレジスタＳＲｂの内部の回路で生成された出力信号は、第２のシフトレジスタＳＲ２のサブシフトレジスタＳＲａにレジスタ入力信号ｉｎａとして入力される。第２のシフトレジスタＳＲ２のサブシフトレジスタＳＲａ、ＳＲｂで生成された出力信号が不図示の第３のシフトレジスタＳＲ３に入力される。以降、同様にしてレジスタ入力信号ｉｎａが次段のシフトレジスタＳＲに出力される。
【０１５５】
続いて、シフトレジスタ回路２１の構成と動作を第１のシフトレジスタＳＲ１とそれに接続する回路を例として説明する。
【０１５６】
転送スタートパルスＳＤＳＴ（入力信号ｉｎａ）はＮＯＲ回路１ａ１の一方の端子に入力される。ＮＯＲ回路１ａ１の他方の端子には、後述する負帰還信号ｂａｃｋａが入力されている。ＮＯＲ回路１ａ１の出力は２つに分岐して、その一方はインバータ１ａ３を介してスイッチ回路１ａ４を構成するＮｃｈトランジスタ（トランジスタＴ１）のゲートに信号が供給され、他方はスイッチ回路１ａ４を構成するＰｃｈトランジスタ（トランジスタＴ２）のゲートに接続している。さらにＮＯＲ回路１ａ１の出力はＮｃｈトランジスタ１ａ５のゲートに接続している。
【０１５７】
ここで、トランジスタＴ１のソース端子とトランジスタＴ２のドレイン端子が接続され転送クロックＳＤＣＫ１が入力される。トランジスタＴ１のドレイン端子とトランジスタＴ２のソース端子も接続され、トランジスタ１ａ５のドレイン端子と接続している。トランジスタ１ａ５のソース端子には、電源電圧Ｖｓｓ（低電位）が与えられる。ここで、スイッチ回路１ａ４はトランジスタＴ１、Ｔ２が並列に接続されて、転送クロックＳＤＣＫ１がＨレベルのときに導通し、転送クロックＳＤＣＫ１がＬレベルのときに導通しないように構成されている。
【０１５８】
トランジスタ１ａ５のドレイン端子は負帰還信号ｂａｃｋａをＮＯＲ回路１ａ１の他方の端子に供給する。またトランジスタ１ａ５のドレイン端子と接続する２連インバータ回路１ａ７からは、出力信号ＯＵＴ１がＡＮＤ回路２２−１の一方の端子に出力される。更に、２連インバータ回路１ａ７からの出力信号ＯＵＴ１がレジスタ入力信号ｉｎｂとしてサブシフトレジスタＳＲｂに入力される。
【０１５９】
なお、ＮＯＲ回路１ａ１とインバータ１ａ３の中間点であるノード１ａ８は、Ｐｃｈ−ＦＥＴ１ａ２を介して基準電位である電源電圧Ｖｄｄ（高電位）と接続されている。従って、リセット信号ｘＤｉｓｃによって、ノード１ａ８を基準電位にリセットすることができる。
【０１６０】
サブシフトレジスタＳＲｂに入力されたレジスタ入力信号ｉｎｂはＮＯＲ回路１ｂ１の一方の端子に入力される。ＮＯＲ回路１ｂ１の他方の端子には、後述する負帰還信号ｂａｃｋｂが入力されている。ＮＯＲ回路１ｂ１の出力は２つに分岐して、その一方はインバータ１ｂ３を介してスイッチ回路１ｂ４を構成するＮｃｈトランジスタ（トランジスタＴ３）のゲートに接続し、他方はスイッチ回路１ｂ４を構成するＰｃｈトランジスタ（トランジスタＴ４）のゲートに接続している。さらにＮＯＲ回路１ｂ１の出力信号はインバータ１ｂ３を介してＰｃｈトランジスタ１ｂ５のゲートに供給されている。
【０１６１】
ここで、トランジスタＴ３のソース端子及びトランジスタＴ４のドレイン端子には、共に転送クロックＳＤＣＫ１が入力される。トランジスタＴ３のドレイン端子及びトランジスタＴ４のソース端子は、トランジスタ１ｂ５のドレイン端子と接続している。トランジスタ１ｂ５のソース端子には、電源電圧Ｖｄｄ（高電位）が与えられる。ここで、スイッチ回路１ｂ４はトランジスタＴ３、Ｔ４が並列に接続されて、転送クロックＳＤＣＫ１がＬレベルのときに導通し、転送クロックＳＤＣＫ１がＨレベルのときに導通しないように構成されている。
【０１６２】
トランジスタ１ｂ５のドレイン端子はインバータ１ｂ６と接続する。インバータ１ｂ６の出力信号は負帰還信号ｂａｃｋｂとしてＮＯＲ回路１ｂ１の他方の端子に供給される。またインバータ１ｂ６と接続する２連インバータ回路１ｂ７からは、レジスタ入力信号ｉｎａが出力され、次段のシフトレジスタＳＲ２のサブシフトレジスタＳＲａに入力される。
【０１６３】
なお、ＮＯＲ回路１ｂ１とインバータ１ｂ３の中間点であるノード１ｂ８は、Ｐｃｈ−ＦＥＴ１ｂ２を介して基準電位である電源電圧Ｖｄｄ（高電位）と接続されている。従って、リセット信号ｘＤｉｓｃによって、ノード１ｂ８を基準電位にリセットすることができる。
【０１６４】
このように、シフトレジスタＳＲ１は、サブシフトレジスタＳＲａ、ＳＲｂで構成されている。サブシフトレジスタＳＲａからは、タッチ検出用ＶＣＯＭ駆動信号を生成するための出力信号が出力されるが、サブシフトレジスタＳＲｂからは、タッチ検出用ＶＣＯＭ駆動信号を生成するための出力信号は出力されない。
【０１６５】
以降のシフトレジスタＳＲ２、・・・についてもシフトレジスタＳＲ１と同様であるので、その構成の説明は省略する。
【０１６６】
図２３は、第４の実施の形態のタッチ検出機能付き表示装置ＤＳＰのタッチ駆動回路２０のシフトレジスタ回路２１の動作を説明するための図である。図２２及び図２３を参照しつつシフトレジスタ回路２１の動作について説明する。
【０１６７】
[初期化リセット動作]  
シフトレジスタＳＲ１のサブシフトレジスタＳＲａにおいて、リセット信号ｘＤｉｓｃがＨレベル（＝「１」）からＬレベル（＝「０」）に変化すると、Ｐｃｈ−ＦＥＴ１ａ２のソース・ドレイン間が導通してノード１ａ８に高電位Ｖｄｄが印加される。この結果、トランジスタ１ａ５のソース・ドレイン間が導通して負帰還信号ｂａｃｋａにはＬレベルの電位が付与される。このとき、転送スタートパルスＳＤＳＴはＬレベルであるため、ＮＯＲ回路１ａ１の出力はＨレベルとなる、従って、この状態がラッチされる。なお、出力信号ＯＵＴ１はＬレベルであるため、タッチ検出用ＶＣＯＭ駆動信号は出力されない。
【０１６８】
サブシフトレジスタＳＲｂにおいてもリセット信号ｘＤｉｓｃがＨレベルからＬレベルに変化すると、Ｐｃｈ−ＦＥＴ１ｂ２のソース・ドレイン間が導通してノード１ｂ８に高電位Ｖｄｄが印加される。この結果、トランジスタ１ｂ５のソース・ドレイン間が導通してインバータ１ｂ６にはＨレベルの電位が印加されるため、負帰還信号ｂａｃｋｂにはＬレベルの電位が付与される。このとき、レジスタ入力信号ｉｎｂはＬレベルであるため、ＮＯＲ回路１ｂ１の出力はＨレベルとなる、従って、この状態がラッチされる。そして、レジスタ入力信号ｉｎａはＬレベルとなって、次段のシフトレジスタＳＲ２に入力される。
【０１６９】
このようにして以降のシフトレジスタＳＲ２、ＳＲ３、・・・についても初期化状態にセットされる、
【０１７０】
図２３に示すように、転送スタートパルスＳＤＳＴがＨレベルとなり、タイミングＱにおいて転送クロックＳＤＣＫ１が４回変化した場合の動作を説明する。
【０１７１】
転送スタートパルスＳＤＳＴ（レジスタ入力信号ｉｎａ）がＨレベルとなったときは、サブシフトレジスタＳＲａのＮＯＲ回路１ａ１の出力はＬレベルとなる。上述のように、スイッチ回路１ａ４はトランジスタＴ１、Ｔ２が並列に接続されて、転送クロックＳＤＣＫ１がＨレベルのときに導通し、転送クロックＳＤＣＫ１がＬレベルのときに導通しないように設計されている。このため転送クロックＳＤＣＫ１がＬレベルのときは、負帰還信号ｂａｃｋａはリセット時のＬレベルの電位を維持する。従って、シフトレジスタＳＲ１の出力信号ＯＵＴ１、レジスタ入力信号ｉｎｂは変化せず、以降のシフトレジスタＳＲの出力も変化しない。
【０１７２】
タイミングＱ１において、転送クロックＳＤＣＫ１がＨレベルに変化したときはスイッチ回路１ａ４が動作するため、２連インバータ回路１ａ７の出力はＨレベルになる。即ち、Ｈレベルの出力信号ＯＵＴ１がＡＮＤ回路２２−１の一方の端子に出力され、タッチ検出用のＶＣＯＭ駆動信号が出力できる状態となる。なお、このとき、負帰還信号ｂａｃｋａもＨレベルとなりＮＯＲ回路１ａ１の出力はＬレベルを維持する。
【０１７３】
サブシフトレジスタＳＲｂに入力されるレジスタ入力信号ｉｎｂはＨレベルになるため、ＮＯＲ回路１ｂ１の出力はＬレベルとなる。上述のように、スイッチ回路１ｂ４はトランジスタＴ３、Ｔ４が並列に接続されて、転送クロックＳＤＣＫ１がＬレベルのときに導通し、転送クロックＳＤＣＫ１がＨレベルのときに導通しないように設計されている。このため転送クロックＳＤＣＫ１がＨレベルのときには、インバータ１ｂ６の入力はＨレベルを維持し、これは初期化状態と同様である。従って、サブシフトレジスタＳＲｂの出力は変化せず、以降のシフトレジスタＳＲ２、ＳＲ３、・・・についても変化しない。
【０１７４】
タイミングＱ２において、転送クロックＳＤＣＫ１がＬレベルに変化したときは、サブシフトレジスタＳＲａにおいては、上述のように、スイッチ回路１ａ４はトランジスタＴ１、Ｔ２が並列に接続されている為、タイミングＱ２において、転送クロックＳＤＣＫ１がＬレベルに変化したときは、転送クロックＳＤＣＫ１がＬレベルのときに導通しないように設計されている。従って、負帰還信号ｂａｃｋａ及び２連インバータ回路１ａ７の出力はＨレベルを維持する。
【０１７５】
一方、サブシフトレジスタＳＲｂでは、上述のように、スイッチ回路１ｂ４はトランジスタＴ３、Ｔ４が並列に接続されて、転送クロックＳＤＣＫ１がＬレベルのときに導通するように構成されている。このためインバータ１ｂ６の出力はＨレベルとなり、負帰還信号ｂａｃｋｂもＨレベルとなり、ＮＯＲ回路１ｂ１の出力はＬレベルを維持する。
【０１７６】
シフトレジスタＳＲ２のサブシフトレジスタＳＲａにおいては、レジスタ入力信号ｉｎａはＨレベルになるが、転送クロックＳＤＣＫ１がＬレベルであるため、シフトレジスタＳＲ１のサブシフトレジスタＳＲａと同様に、出力信号ＯＵＴ２はＬレベルを維持する。
【０１７７】
タイミングＱ３において、転送クロックＳＤＣＫ１がＨレベルに変化したときは、シフトレジスタＳＲ１のサブシフトレジスタＳＲａ、ＳＲｂはその状態を維持するため、出力信号ＯＵＴ１はＨレベルを維持する。一方、シフトレジスタＳＲ２のサブシフトレジスタＳＲａ、ＳＲｂは、上述のタイミングＱ１におけるシフトレジスタＳＲ１のサブシフトレジスタＳＲａ、ＳＲｂと同様に動作する。従って、出力信号ＯＵＴ２はＨレベルとなる。
【０１７８】
タイミングＱ４において、転送クロックＳＤＣＫ１がＬレベルに変化したときは、シフトレジスタＳＲ１のサブシフトレジスタＳＲａ、ＳＲｂはその状態を維持するため、出力信号ＯＵＴ１はＨレベルを維持する。一方、シフトレジスタＳＲ２のサブシフトレジスタＳＲａ、ＳＲｂは、上述のタイミングＱ２におけるシフトレジスタＳＲ１のサブシフトレジスタＳＲａ、ＳＲｂと同様に動作する。従って、出力信号ＯＵＴ２はＨレベルを維持する。
【０１７９】
以上、説明したように、転送スタートパルスＳＤＳＴがＨレベルである状態において、転送クロックＳＤＣＫ１がタイミングＱ１〜Ｑ４において４回レベルを変化していることに対応して、転送クロックＳＤＣＫ１がＨレベルに変化した２回のタイミングで２本の駆動電極（共通電極ＣＯＭＥ）を選択することができる。
【０１８０】
なお、上述の説明から明らかなように、転送スタートパルスＳＤＳＴがＬレベルである状態において、転送クロックＳＤＣＫ１がＨレベルに変化する毎に選択される共通電極の位置を１つずつシフトすることができる。
【０１８１】
以上説明した第３及び第４の実施の形態に係るシフトレジスタ回路２１によれば、転送スタートパルスＳＤＳＴがＨレベルである状態において転送クロックＳＤＣＫ１が変化した数に対応した数Ｍ（１以上の整数）の駆動電極（共通電極ＣＯＭＥ）が選択される。そして、転送スタートパルスＳＤＳＴがＬレベルである状態において転送クロックＳＤＣＫ１が変化した数に対応した数だけ位置がシフトされたＭ本の駆動電極が選択される。
【０１８２】
なお、第３及び第４の実施の形態における、転送スタートパルスＳＤＳＴ、転送クロックＳＤＣＫ１のＨレベル、Ｌレベルは、上述の内容に限定されない。シフトレジスタ回路２１に使用されるトランジスタの特性（Ｐｃｈ、Ｎｃｈ）を変更することによって逆の電位レベルで動作するようにシフトレジスタ回路２１を構成することができる。
【０１８３】
[第５の実施の形態]  
第５の実施の形態の構成は、第３の実施形態の図１６に示した構成と類似している。図１６においては、インバータ１ｂにおいて第２入力端子１ｂ＿ｉｎ２の電圧がＬレベルからＨレベルに変化（第３入力端子１ｂ＿ｉｎ３の電圧がＨレベルからＬレベルに変化）したタイミングにおいて、その第１入力端子１ｂ＿ｉｎ１の信号を反転させて出力させる仕様としている。インバータ２ｂ、３ｂ、・・・・も同様である。
【０１８４】
図２４は、第５の実施の形態のタッチ検出機能付き表示装置ＤＳＰのタッチ駆動回路２０のシフトレジスタ回路２１の詳細の構成を示す図である。  
図２４が図１６と構成が異なる点は、インバータ１ｂ、２ｂ、３ｂ、・・・・、１ｄ、２ｄ、３ｄ、・・・・において、第２入力端子がＨレベル（第１入力端子がＬレベル）時にインバータとして動作し、第２入力端子がＬレベル（第１入力端子がＨレベル）時は出力がハイインピーダンスとされる。これらのインバータ１ｂ、２ｂ、３ｂ、・・・・、１ｄ、２ｄ、３ｄ、・・・・の一構成例を図２５に示す。図２５に示すインバータは、ＰｃｈトランジスタとＮｃｈトランジスタで構成されるインバータ部とＰｃｈトランジスタとＮｃｈトランジスタで構成されるスイッチ部を含む。例えば、インバータ１ｂにおいて、このインバータ部の入力が第１入力端子１ｂ＿ｉｎ１とされ、スイッチ部のＮｃｈトランジスタのゲートが第２入力端子１ｂ＿ｉｎ２とされ、Ｐｃｈトランジスタのゲートが第３入力端子１ｂ＿ｉｎ３とされる。インバータ２ｂ、３ｂ、・・・・、２ｄ、３ｄ、・・・・も同様である。
【０１８５】
更に、連続するシフトレジスタには各々位相が異なる２種類の第１転送クロックＳＤＣＫ１（ｘＳＤＣＫ１）と第２転送クロックＳＤＣＫ２（ｘＳＤＣＫ２）が供給される。例えば、例えば奇数段のシフトレジスタ（第１のシフトレジスタＳＲ１、第３のシフトレジスタＳＲ３、・・・・）には第１転送クロックＳＤＣＫ１（ｘＳＤＣＫ１）が供給され、偶数段のシフトレジスタ（第２のシフトレジスタＳＲ２、第４のシフトレジスタＳＲ４、・・・・）には第２転送クロックＳＤＣＫ２（ｘＳＤＣＫ２）が供給される。
【０１８６】
第１転送クロックＳＤＣＫ１（ｘＳＤＣＫ１）と第２転送クロックＳＤＣＫ２（ｘＳＤＣＫ２）の位相およびタイミングを適宜設定することで、タッチ検出時における共通電極ＣＯＭＥの束ね数、およびシフト位置を適宜設定することができる。
【０１８７】
以上説明した第５の実施の形態に係るシフトレジスタ回路２１によれば、転送スタートパルスＳＤＳＴがＨレベルである状態において第１転送クロックＳＤＣＫ１、第２転送クロックＳＤＣＫ２が変化した数に対応した数Ｍ（１以上の整数）の駆動電極（共通電極ＣＯＭＥ）が選択される。そして、転送スタートパルスＳＤＳＴがＬレベルである状態において第１転送クロックＳＤＣＫ１、第２転送クロックＳＤＣＫ２が変化した数に対応した数だけ位置がシフトされたＭ本の駆動電極が選択される。
【０１８８】
なお、本発明は、実施の形態に記載のパネル構造に限定されない。  
実施の形態では、ＩＰＳ（Ｉｎ−Ｐｌａｎｅ  Ｓｗｉｔｃｈｉｎｇ）モード、ＦＦＳ（Ｆｒｉｎｇｅ−Ｆｉｅｌｄ  Ｓｗｉｔｃｈｉｎｇ）モードなどの横電界方式の液晶を使用したパネルを例としたが、この形態に限定されずＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モードなどの縦電界方式の液晶を使用したパネルについても適用することができる。
【０１８９】
また、実施の形態では、タッチ検出機能付き表示装置として、いわゆるインセルタイプの表示装置を例としたが、表示装置の表示面上にタッチパネルを形成した、いわゆるオンセルタイプの表示装置についても適用することができる。
【０１９０】
本発明の実施の形態として上述した表示装置を基にして、当業者が適宜設計変更して実施し得る全ての表示装置も、本発明の要旨を包含する限り、本発明の範囲に属する。
【０１９１】
本発明の思想の範疇において、当業者であれば、各種の変更例及び修正例に想到し得るものであり、それら変更例及び修正例についても本発明の範囲に属するものと了解される。例えば、上述の各実施形態に対して、当業者が適宜、構成要素の追加、削除もしくは設計変更を行ったもの、又は、工程の追加、省略若しくは条件変更を行ったものも、本発明の要旨を備えている限り、本発明の範囲に含まれる。
【０１９２】
また、本実施形態において述べた態様によりもたらされる他の作用効果について本明細書記載から明らかなもの、又は当業者において適宜想到し得るものについては、当然に本発明によりもたらされるものと解される。
【０１９３】
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１９４】
ＤＳＰ…タッチ検出機能付き表示装置、ＰＮＬ…表示パネル、ＰＸ…表示画素、ＣＯＭＥ…共通電極、Ｖｃｏｍ…共通電圧、ＴＳＶＣＯＭ…駆動パルス、ＴＰＩＣ…タッチドライバ、ＤＤＩ…ディスプレイドライバ、ＤＥＴＥ…検知電極、ＳＤＳＴ…転送スタートパルス、ＳＤＣＫ…転送クロック、２０…タッチ駆動回路、２１…シフトレジスタ回路、２２…選択回路、２３…切替回路、３１…タイミングコントローラ、３２…レベルシフタ、３３…アナログフロントエンド、３４…制御部。
【図１】
2015201175.tif 000003
【図２】
2015201175.tif 000004
【図３】
2015201175.tif 000005
【図４】
2015201175.tif 000006
【図５】
2015201175.tif 000007
【図６】
2015201175.tif 000008
【図７】
2015201175.tif 000009
【図８】
2015201175.tif 000010
【図９】
2015201175.tif 000011
【図１０】
2015201175.tif 000012
【図１１】
2015201175.tif 000013
【図１２】
2015201175.tif 000014
【図１３】
2015201175.tif 000015
【図１４】
2015201175.tif 000016
【図１５】
2015201175.tif 000017
【図１６】
2015201175.tif 000018
【図１７】
2015201175.tif 000019
【図１８】
2015201175.tif 000020
【図１９】
2015201175.tif 000021
【図２０】
2015201175.tif 000022
【図２１】
2015201175.tif 000023
【図２２】
2015201175.tif 000024
【図２３】
2015201175.tif 000025
【図２４】
2015201175.tif 000026
【図２５】
2015201175.tif 000027